(57)【要約】本発明は、相手端末との通信の確立が容易で、ふとした時に生じる相手への想いを積極的に伝えることができる通信端末を提供する。通信端末３０ａ，３０ｂは、伝送路９０を介して相手端末と通信するものであって、タッピングを含む指による操作を受け付ける入力部３１と、受け付けられた操作に基づいて、相手端末が実行すべき動作であるアクションを記述したデータであるパケットを生成するパケット生成部３２と、生成されたパケットを相手端末に送信するパケット送信部３３と、送信されてきたパケットを受信するパケット受信部１１と、受信されたパケットに記述されたアクションを実行するアクション実行部２２とを備える。【特許請求の範囲】
【請求項１】
伝送路を介して相手端末と通信する通信端末であって、
タッピングを含む指による操作を受け付ける入力手段と、
受け付けられた操作に基づいて、相手端末が実行すべき動作であるアクションを記述したデータであるパケットを生成するパケット生成手段と、
生成されたパケットを前記相手端末に送信する送信手段と、
送信されてきたパケットを受信する受信手段と、
受信されたパケットに記述されたアクションを実行するアクション実行手段と
を備えることを特徴とする通信端末。
【請求項２】
前記パケット生成手段は、前記操作が画面を連続タッピングする操作である場合に、複数の画像を切り替えながら画面に表示する旨のアクションを記述したパケットを生成し、
前記アクション実行手段は、前記パケットが受信されると、予め保持している複数の画像を切り替えながら画面に表示する
ことを特徴とする請求項１記載の通信端末。
【請求項３】
前記パケット生成手段は、前記操作が画面をなぞる操作である場合に、なぞられた方向に画像をパンする旨のアクションを記述したパケットを生成し、
前記アクション実行手段は、前記パケットが受信されると、予め保持している画像を指示された方向にパンしながら画面に表示する
ことを特徴とする請求項１記載の通信端末。
【請求項４】
前記パケット生成手段は、前記操作が画面上で円を書く操作である場合に、画像を回転させながら表示する旨のアクションを記述したパケットを生成し、
前記アクション実行手段は、前記パケットが受信されると、予め保持している画像を回転させながら画面に表示する
ことを特徴とする請求項１記載の通信端末。
【請求項５】
前記パケット生成手段は、前記操作が画面を一度だけタップする操作である場合に、画像に波紋映像を重ねて表示する旨のアクションを記述したパケットを生成し、
前記アクション実行手段は、前記パケットが受信されると、予め保持している画像に波紋映像を重ねて画面に表示する
ことを特徴とする請求項１記載の通信端末。
【請求項６】
前記パケット生成手段は、前記操作が画面に表示された人物画像の一部をタップする操作である場合に、人物画像の一部を動かせて表示する旨のアクションを記述したパケットを生成し、
前記アクション実行手段は、前記パケットが受信されると、予め保持している人物画像の一部を動かせて画面に表示する
ことを特徴とする請求項１記載の通信端末。
【請求項７】
前記パケット生成手段は、前記操作が画面をｎ回タッピングする操作である場合に、ｎ枚の写真画像からなる映像を表示する旨のアクションを記述したパケットを生成し、
前記アクション実行手段は、前記パケットが受信されると、予め保持しているｎ枚の写真からなる映像を画面に表示する
ことを特徴とする請求項１記載の通信端末。
【請求項８】
前記画像は、前記パケットを送信してきた発信者が写った画像である
ことを特徴とする請求項２〜７のいずれか１項に記載の通信端末。
【請求項９】
前記パケット生成手段は、前記操作が所定の操作である場合に、写真を撮影して返信する旨のアクションを記述したパケットを生成し、
前記アクション実行手段は、撮像手段を有し、前記パケットが受信されると前記撮像手段で写真を撮影し、前記パケットを送信してきた相手端末に返信する
ことを特徴とする請求項１記載の通信端末。
【請求項１０】
伝送路を介して相手端末と通信する通信方法であって、
タッピングを含む指による操作を受け付ける入力ステップと、
受け付けられた操作に基づいて、相手端末が実行すべき動作であるアクションを記述したデータであるパケットを生成するパケット生成ステップと、
生成されたパケットを前記相手端末に送信する送信ステップと、
送信されてきたパケットを受信する受信ステップと、
受信されたパケットに記述されたアクションを実行するアクション実行ステップと
を含むことを特徴とする通信方法。
【請求項１１】
伝送路を介して相手端末と通信する通信端末のためのプログラムであって、
タッピングを含む指による操作を受け付ける入力ステップと、
受け付けられた操作に基づいて、相手端末が実行すべき動作であるアクションを記述したデータであるパケットを生成するパケット生成ステップと、
生成されたパケットを前記相手端末に送信する送信ステップと、
送信されてきたパケットを受信する受信ステップと、
受信されたパケットに記述されたアクションを実行するアクション実行ステップとを
コンピュータに実行させる
ことを特徴とするプログラム。
【請求項１２】
コンピュータに請求項１０記載の各ステップを実行させるためのプログラムを記録したコンピュータ読み取り可能な記録媒体。
【発明の詳細な説明】
【技術分野】
【０００１】  本発明は、伝送路を介して相手端末と通信する通信端末及び通信方法に関する。
【背景技術】
【０００２】  ２００２年、携帯電話機の国内普及台数は、４０００万台を超え、その７割がカメラ内蔵型である。ユーザアンケートによると、カメラ付き携帯電話機で撮る被写体のベスト５は、友人の顔、自分の顔、景色、ペット、子供の顔である。【０００３】  したがって、ユーザは、ネットワークを通じて受け取った静止画（Ｄｉｇｉｔａｌ  Ｓｔｉｌｌ  Ｐｉｃｕｔｒｅ、以下「ＤＳＰ」とも記す。）や、自分で撮ったＤＳＰを多量に携帯電話機に蓄積している。そして、ユーザは、これらのＤＳＰを待ち受け画面として使用したり、スライドショーとして再生したりすることができる。【０００４】  ところで、携帯電話機のカスタマイズ手段として様々なものが提供されているが、その中で最もポピュラーな手段は、着メロ、着ウタに代表される着呼を知らせるための音＝着信音の変更である。ユーザは様々なサイトで有料／無料で提供されている音楽データを入手し、着信音として設定し、携帯電話機をカスタマイズしている。この着信音は、受信者サイドで発信者毎に異なる音楽を設定することも可能である。同種のものとしては、ＬＥＤの色や点滅パターンを変更して、発信者を知らせる手段もある。【０００５】  また、先述した待ち受け画面の変更も携帯電話機のカスタマイズの一つである。待ち受け画面に設定するＤＳＰはユーザが好みによって選出したものであり、自分の家族の写真であったり、恋人の写真であったりする。ＬＣＤに表示された写真を見て、その人への想いをつのらせたりするわけである。【０００６】  また、従来から、それぞれの端末が備えるセンサによって、動きやそれによって生じるノイズを伝えることで、お互いの存在情報を交換し、両者のつながり間を醸造する装置がある（例えば、特許文献１参照。）。この装置によって、ユーザは相手の姿を見なくても、その存在情報を知ることができる。
【特許文献１】特開２００２−３０７３３８号公報（第１頁、第１図）
【発明の開示】
【発明が解決しようとする課題】
【０００７】  しかしながら、従来の通信端末には、以下に列挙する問題点がある。
（１）まず、第１に、着メロ、着ウタの設定は、発信者毎に異なる曲を設定することが可能であるが、その設定は、ユーザが、能動的に発信者毎に設定しなければならないので、１００人の発信者がいれば、１００回の設定を行う必要がある。実際には、再生可能な音楽を登録できる数が限定されるので、１００回の設定を行うというような極端なことはないが、いずれにせよユーザが発信者毎に音楽を登録しないといけないことには変わりはない。これは、非常に面倒で、苦痛を伴う作業である。【０００８】  その一方で、ネットワークを経由してユーザ間で交換した大量のＤＳＰが、待ち受け画面としての利用を除き、ほとんど活用されていないことである。ユーザは、大量のＤＳＰを携帯内に抱えてはいるが、スライドショーとしてデジタル紙芝居を楽しむ他は、積極的に利用しているとはいいがたい。【０００９】  さらに、待ち受け画面でどんな写真を表示していても、その表示と通信とは関連を持たないので、写真に写っている人と通信したい場合でも、「まず、アドレス帳を検索して、次に通信を確立して」といったステップを踏まなければならず、非常に面倒である。【００１０】（２）第２に、従来技術が提案するつながり間通信は、お互いの存在情報を交換するもので、存在情報によって安心感を生むことはあるが、より積極的にふとした時に生じる相手への想いを伝えるものではない。そういった想いは、言葉や文字にならないものであったり、言葉や文字にするほどの形式的なものでもないので、従来の音声通話や電子メールによるコミュニケーションとはそぐわないものであり、新たな通信手段が必要である。【００１１】  すなわち、従来技術では、音楽や画像などのファイルと発信者とを対応付けるのが煩雑で、困難であるという第１の問題点がある。【００１２】  また、従来技術では、相手端末との通信の確立が困難で、ふとした時に生じる相手への想いを積極的に伝えるのが困難であるという第２の問題点がある。【００１３】  そこで、本発明は、音楽や画像などのファイルと発信者とを簡単かつ容易に対応付けることができる通信端末を提供することを第１の目的とする。【００１４】  また、本発明は、相手端末との通信の確立が容易で、ふとした時に生じる相手への想いを積極的に伝えることができる通信端末を提供することを第２の目的とする。
【課題を解決するための手段】
【００１５】  本発明に係る通信端末においては、伝送路を介して相手端末と通信する通信端末であって、複数の発信者それぞれに対応付けられた複数の情報記憶領域であるフォルダを有するフォルダ手段と、付属情報であるファイルが添付された電子メールを受信するメール受信手段と、受信された電子メールの発信者を特定するメール発信者特定手段と、特定された発信者に対応する前記フォルダに前記ファイルを格納する格納手段とを備えることを特徴とすることができる。【００１６】  これにより、受信した電子メールに添付されたファイルを特定された発信者に対応するフォルダにいちいち格納する手間を省くことができる。したがって、伝送路を介して相手端末から着信があった場合に、発信者に対応するフォルダからファイルを容易に読み出すことが可能となる。【００１７】  また、本発明に係る通信端末においては、前記通信端末はさらに、着信を検出する着信検出手段と、検出された着信の発信者を特定する発呼者特定手段と、特定された発信者に対応する前記フォルダに格納されたファイルを読み出し、画面に表示する表示手段とを備えることを特徴とすることができる。【００１８】  これにより画面に表示されたファイルから発信者が誰であるかを知ることが可能となる。【００１９】  また、本発明に係る通信端末においては、前記ファイルには、画像を示す画像ファイルが含まれ、前記表示手段は、前記フォルダから複数の画像ファイルを読み出し、読み出した複数の画像ファイルからなる映像を表示することを特徴とすることもできる。【００２０】  これにより画面に表示された画像ファイルから発信者が誰であるかを容易に知ることが可能となる。【００２１】  また、本発明に係る通信端末においては、前記フォルダには、当該フォルダに対応する発信者が写った写真を示す写真ファイルが含まれ、前記表示手段は、前記フォルダから前記写真ファイルを読み出し、読み出した写真ファイルを表示することを特徴とすることもできる。【００２２】  これにより画面に表示された発信者が写った写真を示す写真ファイルから発信者が誰であるかを容易かつ確実に知ることができる。【００２３】  また、本発明に係る通信端末においては、伝送路を介して相手端末と通信する通信端末であって、タッピングを含む指による操作を受け付ける入力手段と、受け付けられた操作に基づいて、相手端末が実行すべき動作であるアクションを記述したデータであるパケットを生成するパケット生成手段と、生成されたパケットを前記相手端末に送信する送信手段と、送信されてきたパケットを受信する受信手段と、受信されたパケットに記述されたアクションを実行するアクション実行手段とを備えることを特徴とする。【００２４】  これにより、アドレス帳を検索して、次に通信を確立して、といったステップを踏まなくても、相手端末と通信が確立され、相手端末においてタッピングを含む指による操作に対応したアクションが実行されるので、より積極的にふとした時に生じる相手への想いを伝えることができる。【００２５】  また、本発明に係る通信端末においては、前記パケット生成手段は、前記操作が画面を連続タッピングする操作である場合に、複数の画像を切り替えながら画面に表示��る旨のアクションを記述したパケットを生成し、前記アクション実行手段は、前記パケットが受信されると、予め保持している複数の画像を切り替えながら画面に表示することを特徴とすることができる。【００２６】  これにより、複数の画像を切り替えながら画面に表示させることで、より積極的にふとした時に生じる相手への想いを伝えることができる。【００２７】  また、本発明に係る通信端末においては、前記パケット生成手段は、前記操作が画面をなぞる操作である場合に、なぞられた方向に画像をパンする旨のアクションを記述したパケットを生成し、前記アクション実行手段は、前記パケットが受信されると、予め保持している画像を指示された方向にパンしながら画面に表示することを特徴としてもよい。【００２８】  これにより、画像を指示した方向にパンしながら画面に表示させることで、より積極的にふとした時に生じる相手への想いを伝えることができる。【００２９】  また、本発明に係る通信端末においては、前記パケット生成手段は、前記操作が画面上で円を書く操作である場合に、画像を回転させながら表示する旨のアクションを記述したパケットを生成し、前記アクション実行手段は、前記パケットが受信されると、予め保持している画像を回転させながら画面に表示することを特徴としてもよい。【００３０】  これにより、画像を回転させながら画面に表示させることで、より積極的にふとした時に生じる相手への想いを伝えることができる。【００３１】  また、本発明に係る通信端末においては、前記パケット生成手段は、前記操作が画面を一度だけタップする操作である場合に、画像に波紋映像を重ねて表示する旨のアクションを記述したパケットを生成し、前記アクション実行手段は、前記パケットが受信されると、予め保持している画像に波紋映像を重ねて画面に表示することを特徴としてもよい。【００３２】  これにより、画像に波紋映像を重ねて画面に表示させることで、より積極的にふとした時に生じる相手への想いを伝えることができる。【００３３】  また、本発明に係る通信端末においては、前記パケット生成手段は、前記操作が画面に表示された人物画像の一部をタップする操作である場合に、人物画像の一部を動かせて表示する旨のアクションを記述したパケットを生成し、前記アクション実行手段は、前記パケットが受信されると、予め保持している人物画像の一部を動かせて画面に表示することを特徴としてもよい。【００３４】  これにより、例えば、ウィンクや、微笑む、投げキッス等のように人物画像の一部を動かせて画面に表示させることで、より積極的にふとした時に生じる相手への想いを伝えることができる。【００３５】  また、本発明に係る通信端末においては、前記パケット生成手段は、前記操作が画面をｎ回タッピングする操作である場合に、ｎ枚の写真画像からなる映像を表示する旨のアクションを記述したパケットを生成し、前記アクション実行手段は、前記パケットが受信されると、予め保持しているｎ枚の写真からなる映像を画面に表示することを特徴とすることもできる。【００３６】  これにより、動画的な映像を画面に表示させることで、より積極的にふとした時に生じる相手への想いを伝えることができる。【００３���】  また、本発明に係る通信端末においては、前記画像は、前記パケットを送信してきた発信者が写った画像であることを特徴とすることもできる。【００３８】  これにより、発信者が映った画像を画面に表示させることで、より積極的にふとした時に生じる相手への想いを伝えることができる。【００３９】  また、本発明に係る通信端末においては、前記パケット生成手段は、前記操作が所定の操作である場合に、写真を撮影して返信する旨のアクションを記述したパケットを生成し、前記アクション実行手段は、撮像手段を有し、前記パケットが受信されると前記撮像手段で写真を撮影し、前記パケットを送信してきた相手端末に返信することを特徴とすることができる。【００４０】  これにより、操作をしたユーザは、通信相手の仕事等の邪魔することなく相手の映像を見ることが可能となり、より積極的にふとした時に生じる相手への想いを増すこともできる。【００４１】  なお、本発明は、このような通信端末として実現することができるだけでなく、このような通信端末が備える特徴的な手段をステップとする通信方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのはいうまでもない。
【発明の効果】
【００４２】  以上の説明から明らかなように、本発明に係る通信端末によれば、受信した電子メールに添付されたファイルを特定された発信者に対応するフォルダにいちいち格納する手間を省くことができるので、伝送路を介して相手端末から着信があった場合に、発信者に対応するフォルダからファイルを容易に読み出すことが可能となる。【００４３】  また、アドレス帳を検索して、次に通信を確立してといったステップを踏まなくても、相手端末と通信が確立され、相手端末においてタッピングを含む指による操作に対応したアクションが実行されるので、より積極的にふとした時に生じる相手への想いを伝えることもできる。【００４４】  よって、本発明により、死蔵されていたファイルの有効利用が可能となり、携帯電話機等の通信端末が普及してきた今日における本願発明の実用的価値は極めて高い。
【図面の簡単な説明】
【００４５】［図１］本発明の実施の形態１に係る通信システム１の全体構成を示す図である。
［図２］図１に示される通信端末の機能構成を示すブロック図である。
［図３］図２に示されるアドレス帳１５の構成例を示す図である。
［図４］ＤＳＰの添付されたｅ−ｍａｉｌを受信した場合に行われるＤＳＰ格納処理を示すフローチャートである。
［図５］ｅ−ｍａｉｌを受信した場合に行われる着信処理を示すフローチャートである。
［図６］他の通信端末２０ａ，２０ｂの機能構成を示すブロック図である。
［図７］オブジェクト情報の構成例を示す図である。
［図８］本発明の実施の形態３に係る通信システム２の全体構成を示す図である。
［図９］図８に示される通信端末３０ａ，３０ｂの機能構成を示すブロック図である。
［図１０］操作−アクション変換テーブルの他の構成例を示す図である。
［図１１］通信端末３０ａ，３０ｂ間で行われるつながり感通信を実現するためのアクションパケット通信処理を示すフローチャートである。
［図１２］通信端末３０ａ，３０ｂ間で行われるつながり感通信の通信シーケンスを示す図である。
［図１３］通信端末３０ａにおいて３度タップされ、通信端末３０ｂにおいて一度タップされた場合において、通信端末３０ａ，３０ｂ間で行われるつながり感通信の通信シーケンスを示す図である。
［図１４］操作−アクション変換テーブルのさらに他の構成例を示す図である。
［図１５］通信端末３０ａ，３０ｂ間で行われるつながり感通信の通信シーケンスを示す図である。
［図１６］本発明の実施の形態４に係る通信システムに用いられる通信端末４０ａ，４０ｂの機能構成を示す図である。
［図１７］操作−アクション変換テーブルのさらに他の構成例を示す図である。
［図１８］通信端末４０ａ，４０ｂ間で行われるつながり感通信の通信シーケンスを示す図である。
【符号の説明】
【００４６】  １，２        通信システム
１０ａ，１０ｂ，
２０ａ，２０ｂ，
３０ａ，３０ｂ，
４０ａ，４０ｂ  通信端末
１１            着信部
１２            アプリケーション起動部
１３            ショートフィルム生成・再生部
１４            表示部
１５            アドレス帳
１６            記憶部
１７            画像取得部
１８            顔検出部
１９            顔認識部
２１            パケット解析部
２２            アクション実行部
３１            入力部
３２            パケット生成部
３３            パケット送信部
４１            撮影部
９０            ネットワーク
１９１          オブジェクト情報
３２１          操作−アクション変換テーブル
【発明を実施するための最良の形態】
【００４７】  以下、本発明の実施の形態に係る通信端末について、図面を用いて詳細に説明する。
（実施の形態１）
図１は、本発明の実施の形態１に係る通信システム１の全体構成を示す図である。【００４８】  この通信システム１は、着呼があるとその発信者と関連のある画像を用いてショートフィルムを生成し、再生することでコミュニケーションの円滑化を図るものであって、無線の伝送路であるネットワーク９０を介してパケット通信する複数（図示２つ）の通信端末１０ａ，１０ｂを備える。【００４９】  通信端末１０ａ，１０ｂは、互いに異なるユーザ（例えば、夫の出雲ヒロミと、その妻の出雲ウサギ）にそれぞれ携帯され、パケット中に音声や、ＤＳＰを添付した電子メール等の種々のデータを送受信する携帯電話機等のような通信装置であり、基地局との間で電波を送受信するためのアンテナｅｘ２０１と、ＣＣＤｅｘ１２９や、フラッシュ等を含み、静止画を撮ることが可能なカメラ部ｅｘ２０３と、操作キーｅｘ２０４群から構成される本体部、スピーカ等により構成され、音楽や、通話音声を出力するための音声出力部ｅｘ２０８、マイク等により構成され、音声を入力するための音声入力部ｅｘ２０５、デジタルカメラ等により撮影した静止画等のデータを保持する記録メディアｅｘ２０７、通信端末１０ａ，１０ｂに記録メディアｅｘ２０７を装着可能とするためのスロット部ｅｘ２０６と、ＬＣＤ等で構成され、カメラ部ｅｘ２０３で撮影した静止画や、アンテナｅｘ２０１を介して受信した静止画等を表示するための表示部ｅｘ２０２等とを備える。【００５０】  なお、表示部ｅｘ２０２の表面にはタッチパネルが装着されている。
また、ユーザがカメラ付きの携帯電話機を用いてＤＳＰの添付されたｅ−ｍａｉｌを交換するのが日常となっているので、この通信端末１０ａ，１０ｂは、静止画等を記憶するための記憶部１６を機体内部に備えており、静止画が添付された電子メールを受信した場合に、通信相手から送信されてきた多数のＤＳＰを電子メールの送信人に対応付けられたフォルダに自動的に格納したり、着呼があった場合に、その発信者と関連のある静止画をフォルダから読み出して、ＢＧＭ付きのショートフィルムを生成し、再生する。なお、ここで着呼とは、音声通話におけるオフフックを促すためのデータや、電子メールのデータ等、種々のデータを含むパケットの受信を意味する。【００５１】  図２は、図１に示される通信端末の機能構成を示すブロック図である。なお、通信端末１０ａ，１０ｂの構成が同じであるので、通信端末１０ａをその代表として説明する。また、ここでは、パケット受信に関連する機能構成に係る部分だけが図示されている。【００５２】  図２に示されるように通信端末１０ａは、着信部１１と、アプリケーション起動部１２と、ショートフィルム生成・再生部１３と、表示部１４と、アドレス帳１５と、記憶部１６等とから構成される。【００５３】  着信部１１は、上記のアンテナｅｘ２０１等により構成され、ネットワーク９０を介するパケットの受信インターフェースを提供する。また、着信部１１は、ｅ−ｍａｉｌを受信すると、着信をアプリケーション起動部１２に通知するとともに、アドレス帳１５にｅ−ｍａｉｌの発信者のメールアドレスを渡す。【００５４】  アプリケーション起動部１２は、入力に応じて予め登録されたアプリケーションを起動するが、ここでは、ショートフィルム生成・再生部１３を起動させる。【００５５】  ショートフィルム生成・再生部１３は、発信人に対応するフォルダに格納されたＤＳＰを使ってＢＧＭ付きのショートフィルムを生成し、即座に再生を始める。【００５６】  表示部１４は、ショートフィルム生成・再生部１３によって再生されたショートフィルム等を表示する。【００５７】  アドレス帳１５は、図３に示されるように、端末所有者の家族や、友人、知人のパーソナルデータ（住所、氏名、年齡、電話番号、メールアドレスなど）を記憶したある種のデータベースであるが、それに加えて、家族や、友人、知人から送信されてきた添付データを保存するフォルダ名もさらに記憶する。つまり、アドレス帳１５は、名前、メールアドレス、電話番号、住所等の他、パケットの差出入に関連付けられるフォルダ名などの属性で構成されている。そして、フォルダ名は、記憶部１６において、データを保存するための領域を指定する、いわばアドレスのような役割を果たす。これにより、発信者の電話番号、あるいは、メールアドレスをキーとしてアドレス帳を検索して、発信者と関連付けされたフォルダに添付データを保存したりすることが可能となる。【００５８】  図示例では、勤めの関係で大阪に単身赴任している夫の出雲ヒロミ、自宅及び勤めの関係で東京に残った妻の出雲ウサギ、学校の関係で寮生活している娘の出雲モモ、竹馬の友の大和タケシについて、名前、メールアドレス、電話番号、住所、フォルダ名が記載されている。��お、アドレス帳１５は、着信部１１からｅ−ｍａｉｌの発信者のメールアドレスが渡されると、当該メールアドレスに対応するフォルダ名を出力する機能を備えている。【００５９】  記憶部１６は、アドレス帳１５に登録されたフォルダを備える。また、記憶部１６は、電子メールから切り離された添付ＤＳＰを、アドレス帳１５から出力されたフォルダ名の示すフォルダに保存する機能を備えている。また、記憶部１６は、アドレス帳１５から指示されたフォルダからＤＳＰを複数毎選出し、選出した静止画をショートフィルム生成・再生部１３に出力する機能も備えている。【００６０】  次いで、通信端末１０ａ（１０ｂ）でＤＳＰの添付されたｅ−ｍａｉｌを受信した場合のＤＳＰの動きについて説明する。【００６１】  図４は、ＤＳＰの添付されたｅ−ｍａｉｌを受信した場合に行われるＤＳＰ格納処理を示すフローチャートである。【００６２】  着信部１１は、メールサーバーから静止画が添付されたｅ−ｍａｉｌを受信すると（Ｓ１１）、ｅ−ｍａｉｌ本体と静止画とを分離する（Ｓ１２）。そして、着信部１１は、そのｅ−ｍａｉｌの発信者のメールアドレスをキーとしてアドレス帳１５に渡すとともに、分離した静止画を記憶部１６に渡す。【００６３】  アドレス帳１５は、着信部１１から渡されたヘッダ情報中の発信者名でアドレス帳を検索し、発信者と関連付けられたフォルダ名を取得し（Ｓ１３）、発信者と関連付けられたフォルダ名を記憶部１６に出力する。記憶部１６は、アドレス帳１５から指定されたフォルダ名のフォルダに静止画を保存する（Ｓ１４）。【００６４】  以上の動作により、発信者が撮影した写真が、発信者と関連付けられたフォルダ内に自動的に整理され、貯まっていくことになる。【００６５】  次に、着信時の動作を、ｅ−ｍａｉｌを受信した場合を例として説明する。
図５は、ｅ−ｍａｉｌを受信した場合に行われる着信処理を示すフローチャートである。なお、同図においては、電話があった場合に行われる着呼処理も併せて示されている。【００６６】  着信部１１は、ｅ−ｍａｉｌを受信すると（Ｓ１５でＹｅｓ）、着信をアプリケーション起動部１２に通知するとともに、アドレス帳１５にｅ−ｍａｉｌの発信者のメールアドレスを渡す（Ｓ１６）。【００６７】  アプリケーション起動部１２は、着信部１１から着信の通知を受けると、ショートフィルム生成・再生部１３を起動させる。【００６８】  一方、アドレス帳１５は、入力されたメールアドレスと関連付けられたフォルダ名を記憶部１６に出力し、記憶部１６は、フォルダ名に対応するフォルダからＤＳＰを複数毎選出し（Ｓ１７）、ショートフィルム生成・再生部１３に出力する。ここでのＤＳＰ選出ルールは、フォルダ内の最新のものであっても構わないし、ランダムに選出した複数毎であっても構わない。そのＤＳＰ選出ルールは、ショートフィルム生成・再生部１３に依存したものであればよい。【００６９】  ショートフィルム生成・再生部１３は、選出された静止画と、これらの静止画にマッチした音楽をＢＧＭとしてショートフィルムを生成し、再生する（Ｓ１８）。【００７０】  再生されたコンテンツであるショートフィルムの映像は、表示部１４で表示され、また、ＢＧＭは音声出力部ｅｘ２０８から再生される（Ｓ１９）。なお、ここでは、ｅ−ｍａｉｌを受信した場合を例として説明したが、通話の場合の着呼においても同様にショートフィルムが生成され、再生される。【００７１】  したがって、従来のように着メロや、待ち受け画面を予め設定するような煩雑な操作が必要がなく、予め保持する音楽や静止画を用いて、かつ発信者用に自動的にカスタマナイズされたショートフィルムでメールもしくは音声通話が着信したことと、及び着信相手を知らせることができる。【００７２】  つまり、本発明のメリットは、ユーザが発信者毎の着信通知コンテンツを設定する必要がないことである。普段のメール交換によって貯まったＤＳＰを使って、発信者固有のコンテンツが再生されるので、あたかも発信者毎に着呼を知らせるコンテンツをセットしたのと同じ効果を得ることができる。【００７３】  なお、ここでは、ショートフィルムを生成し、再生する場合について説明したが、このショートフィルムの再生に合わせて、通信端末１０ａ（１０ｂ）に設けられたＬＥＤを発光させたり、発光色を変化させたりするようにしてもよい。【００７４】  また、ショートフィルムを生成し、再生する場合について説明したが、着信や着呼があった場合に、対応するフォルダから静止画を１枚だけ取り出して、この静止画を表示するようにしてもよい。この場合には、ステップＳ１７において静止画を１枚だけ取り出し、ステップＳ１８において静止画だけを再生し、ステップＳ１９において静止画を表示するようにすればよい。【００７５】  これによっても、従来のように着メロや、待ち受け画面を予め設定するような煩雑な操作が必要がなく、予め保持する静止画を用いて、かつ発信者用に自動的にカスタマナイズされた静止画でメールもしくは音声通話が着信したことと、及び着信相手を知らせる���とができる。【００７６】  （実施の形態２）
次いで、本発明の実施の形態２に係る通信システムに用いられる他の通信端末について説明する。【００７７】  図６は、通信端末１０ａ，１０ｂに代えて用いられる他の通信端末２０ａ，２０ｂの機能構成を示すブロック図である。なお、通信端末２０ａ，２０ｂの構成が同じであるので、通信端末２０ａをその代表として説明する。また、ここでは、パケット受信に関連する機能構成に係る部分だけが図示されている。また、通信端末１０ａと対応する構成部分に同じ番号を付し、その説明を省略する。【００７８】  通信端末２０ａは、着信部１１、アプリケーション起動部１２、ショートフィルム生成・再生部１３、表示部１４、アドレス帳１５及び記憶部１６の他、さらに画像取得部１７、顔検出部１８及び顔認識部１９を備える。【００７９】  ところで、発信者から送られてきたＤＳＰにその発信者自身が映っているとは限られず、他人だけが映っている場合や、風景だけが映っている場合もありうる。このような発信者自身が映っていない静止画がショートフィルムの素材として選択されると、ショートフィルムから発信者を特定しがたい場合も発生する。そこで、メールの着信があったような場合に、そのメールアドレスの本人（発信人）が写った写真だけを選出することができるように、通信端末２０ａに顔検出部１８及び顔認識部１９を設け、静止画中の顔の位置や、顔の名前等の情報を予め取得する構成が採用されている。【００８０】  顔検出部１８は、ＤＳＰの画像データ内をサーチして、静止画内の顔が写っている領域を特定し、その領域の座標値を抽出する。また、顔検出部１８は、顔だけでなく、さらに目、口等のパーツが映っている領域を特定し、その領域の座標値を抽出する。その領域の形状は、四角（四角形の一つの対角線の始点と終点の座標）であっても、円（円の中心座標と、円の半径）であっても構わない。【００８１】  顔認識部１９は、指定された領域内にある顔が誰であるかを判定し、その名前を特定する。顔が誰であるかの判定は、予め保持する発信人の特徴パターンとパターンマッチングすること等により行われる。【００８２】  なお、顔検出部１８及び顔認識部１９による処理は、例えば図４におけるステップＳ１２と、ステップＳ１３との間に実行される。【００８３】  そして、ステップＳ１４において、上記２種類のデータ（顔の座標、顔の名前）は、オブジェクト情報として静止画と対応付けられ、アドレス帳１５により指定されたフォルダ名に対応する記憶部１６内のフォルダに静止画とともに保存される。なお、フォルダ名は、顔認識部１９が認識した名前でアドレス帳を検索することにより、その名前とリンクされたフォルダ名が取得される。【００８４】  図７は、上記したオブジェクト情報の構成例を示す図である。
オブジェクト情報１９１は、図７に示されるように、抽出したオブジェクトが接する円の中心の座標と、半径の大きさによって表される位置情報と、対応する静止画のファイル名との他、特徴点及び名前を含んで構成される。特徴点としては、上記したように目頭、目尻、鼻の頂点、口の両端、眉の始まりと終わりの位置座標である。【００８５】  このように構成されたオブジェクト情報１９１により、画像処理の対象となる全ての静止画に付き、それぞれオブジェクトの位置及び顔特徴点等が取得され、オブジェクトのパーツを中心とした画像処理や、名前を中心とした画像処理が可能となる。【００８６】  なお、静止画は、ＥＸＩＦのようにヘッダ情報と画像データ部（ＪＰＥＧなどのフォーマット）が１つのファイルに構成されるデータであるので、このヘッダ情報中にオブジェクト情報１９１を格納してもよい。もちろん、ヘッダ情報と画像データは別々のファイルであって、データベース、ＨＴＭＬ文書などのように何らかの手段によって関連付けされている形式の場合であっても、この形式にあわせてオブジェクト情報１９１を関連付けする構成にしてもよい。【００８７】  画像取得部１７は、上述したカメラ部ｅｘ２０３や記録メディアｅｘ２０７等により構成され、カメラ部ｅｘ２０３により撮影された静止画や、記録メディアｅｘ２０７に格納された静止画を取得する。この取得された静止画については、発信人が存在せず、また誰が映っているかも解らない。【００８８】  このため、画像取得部１７によって取得された静止画についても、顔検出部１８及び顔認識部１９によってオブジェクト情報１９１を作成するようにしている。この場合については、顔認識部１９によって認識された名前からアドレス帳１５の名前を参照し、参照された名前のフォルダ名のフォルダにその静止画及びオブジェクト情報１９１が格納される。これにより、ユーザが保持する写真の有効利用を図ることもできる。なお、静止画が添付されたメールを受信した場合において、送信人（例えば、出雲モモ）と画像に写っている人（例えば、出雲ウサギ）が異なるときについても、写っている人と対応するフォルダ（ｕｓａｇｉ）に格納するようにしてもよい。【００８９】  このような構成により、メールの着信があったような場合に、図５に示されるステップＳ１７において、そのメールアドレスに対応するフォルダからその本人（発信人）が写った写真だけを選出し、ショートフィルムを生成し、再生することができるので、ショートフィルムから発信者を確実に特定することができる。【００９０】  （実施の形態３）
図８は、本発明の実施の形態３に係る通信システム２の全体構成を示す図である。【００９１】  この通信システム２は、言葉やメールで意思を伝え合う従来のコミュニケーションと異なり、タッチパネルをタッチする等の簡単な操作で、言葉にする前の言葉にならない”想い”を伝え合い、コミュニケーションの円滑化を図るものであって、無線の伝送路であるネットワーク９０を介して操作に対応するアクションをパケット通信する複数（図示２つ）の通信端末３０ａ，３０ｂを備える。【００９２】  図９は、図８に示される通信端末３０ａ，３０ｂの機能構成を示すブロック図である。なお、通信端末３０ａ，３０ｂの構成が同じであるので、通信端末３０ａをその代表として説明する。また、通信端末１０ａ，２０ａと対応する構成部分に同じ番号を付し、その説明を省略する。【００９３】  通信端末３０ａは、上記した着信部１１、表示部１４、アドレス帳１５及び記憶部１６の他、さらに、パケット解析部２１、アクション実行部２２、入力部３１、パケット生成部３２及びパケット送信部３３等を備える。なお、ここでは、図示されていないが、図６に示される顔検出部１８及び顔認識部１９を備える構成であってもよい。【００９４】  入力部３１は、上記したタッチパネルや、ジョグダイアルなどのボタン類ｅｘ２０４により構成され、操作者が行うタップ等の操作（操作情報）を受け付ける。【００９５】  パケット生成部３２は、入力部３１で受け取った操作から、パケット受信側でのアクションを記述したパケット（リクエストパケット）を生成する。すなわち、パケット生成部３２は、操作−アクション変換テーブル３２１を有し、操作−アクション変換テーブル３２１に基づいてパケットを生成する。【００９６】  操作−アクション変換テーブル３２１は、図１０に示されるように、入力操作と出力側のアクションの関係を規定するものであり、例えば入力側の操作が一度だけタップするものであれば、出力側で波紋のような映像を重ねるアクションを行うアクション情報に変換される。また、入力側の操作が連続タッピングするものであれば、出力側において選択された３枚の静止画をｓｔｉｌｌ→ｓｔｉｌｌ→ｓｔｉｌｌ、つまりスライドショーのように連続して切り替え表示するアクション情報に変換される。また、入力側の操作が画面上をなぞるものであれば、出力側で静止画をなぞった方向にパンするアクション情報に変換される。また、入力側の操作が画面上で円を書くものであれば、出力側で画像を回転させるアクション情報に変換される。【００９７】  なお、パケット生成部３２は、操作情報を受け取った際、表示部１４に表示されている静止画（待ち受け画面）が格納されているフォルダをサーチし、さらにアドレス帳１５を参照してサーチしたフォルダのフォルダ名からメールアドレスを取得する。そして、パケット生成部３２は、取得したメールアドレスを宛先とし、アクション情報を格納したパケットを生成する。【００９８】  パケット送信部３３は、ネットワーク９０とのインターフェースを提供する。
パケット解析部２１は、受信したパケットのアクションの種別を解析する。【００９９】  アクション実行部２２は、パケット解析部２１が解析した種別のアクションを実行する。【０１００】  次いで、通信端末３０ａ，３０ｂ間で行われるつながり感通信について説明する。
図１１は、通信端末３０ａ，３０ｂ間で行われるつながり感通信を実現するためのアクションパケット通信処理を示すフローチャートである。なお、ここでは通信端末３０ａにおける処理が示されている。また、この通信端末３０ａの表示部１４にはあるフォルダ（例えば、ｕｓａｇｉ）に格納されている出雲ウサギの静止画が表示されているものとして説明する。【０１０１】  通信端末３０ａの入力部３１は、タッピングを含む指による操作が行われるのを待ち（Ｓ２１）、パケット着信部１１はアクションパケットを受信するのを待つ（Ｓ２６）。【０１０２】  操作があると（Ｓ２１でＹｅｓ）、入力部３１は操作を受け付ける（Ｓ２２）。そして、パケット生成部３２は、受け付けられた操作に基づいて、相手端末が実行すべき動作であるアクションを記述したデータであるパケットを生成する（Ｓ２３）。パケットの生成が終わると、パケット送信部３３は、生成されたパケットを表示部に表示されている静止画に対応する相手端末に送信する（Ｓ２４）。【０１０３】  一方、指による操作がない場合において（Ｓ２１でＮｏ）、アクションパケットを受信したとき（Ｓ２６でＹｅｓ）、アクション解析部２１によるアクションパケットの解析結果に基づいて、アクション実行部２２は、受信されたパケットに記述されたアクションを実行する（Ｓ２７）。なお、パケットを受信した際に表示部に静止画が表示されていない場合や、パケットの発信元と異なるフォルダに格納されている静止画が表示されている場合には、パケットの発信元に対応するフォルダから静止画が選択された後、選択された静止画に対してパケットに記述されたアクションが実行される。【０１０４】  図１２は、通信端末３０ａ，３０ｂ間で行われるつながり感通信の通信シーケンスを示す図である。【０１０５】  なおここでは、夫ヒロミ、妻ウサギの所持するそれぞれの通信端末３０ａ，３０ｂは、充電器にセットされた状態で、かつ待ち受け状態で待っているものとし、夫ヒロミの通信端末３０ａは、妻ウサギの写真を待ち受け画面に表示し、妻ウサギの通信端末３０ｂは、娘モモの写真を待ち受け画面に表示しているものとして説明する。【０１０６】  夫ヒロミは、妻ウサギの写真を待ち受け画面に表示している状態で、通信端末３０ａのタッチパネル（入力部３１）を一度だけタップする（Ｓ３１）。通信端末３０ａのパケット生成部３２は、通信端末３０ｂでのアクション（波紋）及びタップされた位置を記述したリクエストパケットを生成して、通信端末３０ｂに送信する（Ｓ３２）。なお、妻ウサギの写真での待ち受け状態でタップしたので、リクエストパケットの宛先は、自動的に通信端末３０ｂのメールアドレスとなる。【０１０７】  通信端末３０ｂのパケット解析部２１は、着信部１１を介してリクエストパケットを受信すると、このパケットに格納された発信人（夫ヒロミ）、アクション（波紋）、タッチ位置をアクション実行部２２に出力する。これを受け取ったアクション実行部２２は、パケットの発信者（夫ヒロミ）と関連付けられたフォルダ（ｈｉｒｏｍｉ）内の写真を１枚選出し、その写真を表示部１４に待ち受け画面として表示し、その画面にタッチ位置を中心としたアクションである波紋のような映���を重ねる（Ｓ３３）。【０１０８】  波紋のアクションの表示に気づいた妻ウサギが同様に夫ヒロミの写真が表示された画面を連続タップすると（Ｓ３４）、通信端末３０ｂのパケット生成部３２は、通信端末３０ａでのアクション（静止画の連続切り替え）及びタップされた位置を記述したリクエストパケットを生成して、通信端末３０ａに送信する（Ｓ３５）。なお、夫ヒロミの写真をタップしたので、リクエストパケットの宛先は、自動的に通信端末３０ａのメールアドレスとなる。【０１０９】  通信端末３０ａのアクション実行部２２は、リクエストパケットを受信すると、フォルダ（ｕｓａｇｉ）から取り出した３枚の写真を用いて、このパケットに記述されたアクション、ショートフィルム（スライドショー）の再生を実行する（Ｓ３６）。なお、波紋のアクションやスライドショーのアクションが終了したら、元の待ち受け画面に戻る。【０１１０】  以上のようなステップＳ３１〜Ｓ３６によって、夫ヒロミ、妻ウサギの両者は、言葉を交わしたり（通話）、文章を交換したり（ｅ−ｍａｉｌ）することなく、お互いに「相手のことを気に掛けているんだよ」というような”簡単な”想いを交換することができる。そういった想いは、通信パスをわざわざ確立した上で交換するものでも（つまり、通信相手のメールアドレスをわざわざ入力した上で）、文章を書いて交換するものでもなく、スキンシップに似た感覚で交換できるべきものであり、本発明によるコミュニケーションは、そういった想い、つながり感の交換を可能とするものである。【０１１１】  なお、ここでは、通信端末３０ａにおいて一度タップされ、通信端末３０ｂにおいて連続タップされた場合について説明したが、各通信端末３０ａ，３０ｂにおける操作はこれに限られるものでなく、例えば通信端末３０ａにおいて３度タップされ、通信端末３０ｂにおいて一度タップされるような他の操作であってもよいのはいうまでもない。【０１１２】  図１３は、通信端末３０ａにおいて３度タップされ、通信端末３０ｂにおいて一度タップされた場合において、通信端末３０ａ，３０ｂ間で行われるつながり感通信の通信シーケンスを示す図である。なお、ここでは、妻ウサギは、オフィスで通信端末３０ｂを充電するために充電器にセットして、そのＬＣＤには娘モモの写真を使って、ショートフィルムを再生し、夫ヒロミは、通信端末３０ａを充電器にセットして、妻ウサギの写真を待ち受け画面に表示しているものとして説明する。【０１１３】  夫ヒロミが妻ウサギのＤＳＰが表示されている通信端末３０ａのタッチパネルを３度タッピングすると（Ｓ４１）、通信端末３０ａの入力部３１はタッチパネルからの入力を受け付け、パケット生成部３２は通信端末３０ａでのアクションを記述したリクエストパケットを生成して、それを妻ウサギの通信端末３０ｂに対して送信する（Ｓ４２）。【０１１４】  通信端末３０ａからのリクエストパケットを受信した通信端末３０ｂのアクション実行部２２は、リクエストパケットに記述されたアクションを実行する。具体的には、アクション実行部２２は、まず、発信者夫ヒロミのメールアドレスをキーとしてアドレス帳１５を検索し、夫ヒロミと関連付けられたフォルダ名ｈｉｒｏｍｉを��る。そして、アクション実行部２２は、フォルダ名ｈｉｒｏｍｉで指定された記憶部１６のフォルダｈｉｒｏｍｉから、写真を３枚抽出して、その３枚の写真を使った静止画の連続切り替えのシーンをショートフィルムに挿入して、表示する。つまり、娘モモが映ったショートフィルムの再生の途中に夫ヒロミが映ったショートフィルムを挿入する。夫ヒロミが映ったショートフィルムの再生が終了したら、元の状態に戻る。つまり、娘モモが映ったショートフィルムの再生に戻る。【０１１５】  夫ヒロミが映ったショートフィルムの再生中に妻ウサギがその表示に気づいたら、妻ウサギもまた、その画面に対して何らかのアクションを返すことができる。ここでは、タッピングを１回実施したものとする（Ｓ４３）。通信端末３０ｂのパケット生成部３２は、入力に応じて、タッピングした位置、送信先（通信端末３０ａ）でのアクション（波紋）を記述したリクエストパケットを生成して、パケット送信部３３はそのリクエストパケットを夫ヒロミの通信端末３０ａに対して送信する（Ｓ４４）。【０１１６】  そのリクエストパケットを受信した通信端末３０ａのパケット解析部２１は、パケット内の内容を解析して、アクション実行部２２は解析結果に基づいて妻ウサギのメールアドレスに関連付けられたフォルダｍｏｍｏから写真を１枚取り出し、それを表示部１４に表示して、指定された位置を中心として「波紋」を重ねる。【０１１７】  以上の通信方法によって、ふとした折に相手のことを思い出した時、言葉を交わすほどではないが、簡単な／簡潔な操作で、言葉にならない”想い”を伝え合うことができる。しかも、通信端末３０ｂでは久しぶりに家族全員が揃ったような雰囲気を味わうこともできる。【０１１８】  つまり、本発明による端末を使ったコミュニケーション方法は、わざわざ通信経路を確立した上で言葉を交わすことによって成立させる従来のコミュニケーション方法と異なり、通信経路を確立させることなく、お互いに言葉を交わすことなく、両者にとって通信のための精神的な敷居の低いコミュニケーション方法を提供している。【０１１９】  なお、上記実施の形態では操作−アクション変換テーブル３２１の内容として図１０に示されるように、一度タップ、連続タップ等について規定したが、顔のパーツ、目、口等の位置が識別できる場合、つまりオブジェクト情報１９１が存在する場合、操作−アクション変換テーブル３２１にさらに他の操作とアクションとを規定するようにしてもよい。【０１２０】  図１３は、さらに他の操作とアクションとが規定された操作−アクション変換テーブル３２１の構成例を示す図である。【０１２１】  図１３に示されるように、この操作−アクション変換テーブル３２１においては、入力側の操作が目をタップするものであれば、出力側でウィンクするアクションを行うアクション情報に変換される。また、入力側の操作が口をタップするものであれば、出力側で微笑むアクションを行うアクション情報に変換される。また、入力側の操作が口をなぞるものであれば、出力側で投げキッスするアクションを行うアクション情報に変換される。【０１２２】  このように構成された図１４に示される操作−アクション変換テーブル３２１を用いる���つながり感の強い通信を行うことができる。【０１２３】  次いで、図１４に示される操作−アクション変換テーブル３２１を用いた場合における通信端末３０ａ，３０ｂ間で行われるつながり感通信について説明する。【０１２４】  図１５は、通信端末３０ａ，３０ｂ間で行われるつながり感通信の通信シーケンスを示す図である。なお、ここでは、顔検出部１８及び顔認識部１９を備え、記憶部１６において画像内で顔のパーツ（目、鼻、口など）の位置を認識でき、タップした位置によって、受信側でウィンクしたり、微笑んだり、投げキッスしたりするアクションを実行する。【０１２５】  また、図１２の場合と同様に、夫ヒロミ、妻ウサギの所持するそれぞれの通信端末３０ａ，３０ｂは、充電器にセットされた状態で、かつ待ち受け状態で待っているものとし、夫ヒロミの通信端末３０ａは、妻ウサギの写真を待ち受け画面に表示し、妻ウサギの通信端末３０ｂは、娘モモの写真を待ち受け画面に表示しているものとして説明する。【０１２６】  夫ヒロミは、妻ウサギの写真を待ち受け画面に表示している状態で、通信端末３０ａのタッチパネル（入力部３１）を一度だけタップする（Ｓ３１）。通信端末３０ａのパケット生成部３２は、通信端末３０ｂでのアクション及びタップされた位置を記述したリクエストパケットを生成して、通信端末３０ｂに送信する（Ｓ３２）。なお、妻ウサギの写真をタップしたので、リクエストパケットの宛先は、自動的に通信端末３０ｂのメールアドレスとなる。【０１２７】  通信端末３０ｂのパケット解析部２１は、着信部１１を介してリクエストパケットを受信すると、このパケットに格納された発信人、アクション、タッチ位置をアクション実行部２２に出力する。これを受け取ったアクション実行部２２は、パケットの発信者夫ヒロミと関連付けられたフォルダ内の写真を１枚選出し、その写真を表示部１４に待ち受け画面として表示し、その画面にタッチ位置を中心としたアクションである波紋のような映像を重ねる（Ｓ３３）。【０１２８】  波紋のアクションの表示に気づいた妻ウサギが同様に夫ヒロミの写真が表示された画面の左目をタップすると（Ｓ３７）、通信端末３０ｂのパケット生成部３２は、通信端末３０ａでのアクション及びタップされた位置、つまり左目のウィンクというアクションを記述したリクエストパケットを生成して、通信端末３０ａに送信する（Ｓ３５）。なお、夫ヒロミの写真をタップしたので、リクエストパケットの宛先は、自動的に通信端末３０ａのメールアドレスとなる。【０１２９】  通信端末３０ａのアクション実行部２２は、リクエストパケットを受信すると、このパケットに記述されたアクション妻ウサギのフォルダから取り出した写真の左目をウィンクさせるアクションを実行する（Ｓ３９）。なお、波紋のアクションやウィンクのアクションが終了したら、元の待ち受け画面に戻る。【０１３０】  以上のようなステップＳ３１〜Ｓ３３，Ｓ３７，Ｓ３８によって、夫ヒロミ、妻ウサギの両者は、言葉を交わしたり（通話）、文章を交換したり（ｅ−ｍａｉｌ）することなく、お互いに「相手のことを大変気に掛けているんだよ」というような”簡単な”想いを交換することができる。そういった想いは、通信パスをわざわざ確立した上で交換するものでも（つまり、わざわざメールアドレスをわざわざ入力した上で）、文章を書いて交換するものでもなく、スキンシップに似た感覚で交換できるべきものであり、本発明によるコミュニケーションは、そういった想いの交換を可能とするものである。【０１３１】  （実施の形態４）
次いで、本発明の実施の形態４に係る通信システムに用いられる通信端末４０ａ，４０ｂについて説明する。【０１３２】  図１６は、本発明の実施の形態４に係る通信システムに用いられる通信端末４０ａ，４０ｂの機能構成を示す図である。なお、通信端末４０ａ，４０ｂの構成が同じであるので、通信端末４０ａをその代表として説明する。また、通信端末１０ａ，２０ａ，通信端末３０ａ，３０ｂと対応する構成部分に同じ番号を付し、その説明を省略する。【０１３３】  通信端末４０ａは、通信端末３０ａ，３０ｂと同様、タッチパネルをタッチする等の簡単な操作で、言葉にする前の言葉にならない”想い”を伝え合い、コミュニケーションの円滑化を図るためのものであって、着信部１１、表示部１４、アドレス帳１５及び記憶部１６、パケット解析部２１、アクション実行部２２、入力部３１、パケット生成部３２及びパケット送信部３３の他、さらに撮影部４１等を備える。なお、ここでは、図示されていないが、図６に示される顔検出部１８及び顔認識部１９を備える構成であってもよい。【０１３４】  撮影部４１は、上述のカメラ部ｅｘ２０３等により構成され、パケット解析部２１からの撮影命令に基づいて撮影を行い、撮影した画像データをパケット生成部３２に出力する。【０１３５】  なお、パケット生成部３２が保持する操作−アクション変換テーブル３２１においては、図１７に示されるように、入力側の操作がカメラアイコンをクリックするものであれば、出力側で撮影するアクションを行うア旨がさらに規定されている。【０１３６】  したがって、パケット生成部３２は、カメラアイコンがクリックされた場合、待ち受け画面に表示されている画像が格納されているフォルダに対応するメールアドレス宛てにアクション撮影を記述したアクションバケットを生成する。【０１３７】  次いで、図１７に示される操作−アクション変換テーブル３２１を用いた場合における通信端末４０ａ，４０ｂ間で行われるつながり感通信について説明する。【０１３８】  図１８は、通信端末４０ａ，４０ｂ間で行われるつながり感通信の通信シーケンスを示す図である。なおここでは、夫ヒロミは通信端末４０ａの表示部１４に妻ウサギの写真を表示して、妻ウサギは通信端末４０ｂに夫ヒロミの写真を表示しているものとして説明する。これによって、双方向に通信することが可能となる。また、画面右隅にはカメラアイコンが表示されている。【０１３９】  妻ウサギの顔をちょっと見たくなった夫ヒロミが画面上のカメラアイコンをクリックすると（Ｓ５１）、通信端末４０ａのパケット生成部３２は、撮影命令を含むリクエストパケットを生成し、パケット送信部３３はリクエストパケットを妻ウサギの通信端末４０ａに送信する（Ｓ５２）。【０１４０】  リクエストパケットを受信した通信端末４０ｂのパケット解析部２１は、パケットを解析し撮影部４１に撮影命令を出力する。撮影命令を受けた撮影部４１は、被写体妻ウサギの横顔を撮影して（Ｓ５３）、パケット生成部３２は夫ヒロミの通信端末４０ａ宛てに撮影した写真を添付したリクエストを生成し、パケット送信部３３はそのリクエストパケットを送信する（Ｓ５４）。【０１４１】  リクエストパケットを受信した通信端末���０ａのパケット解析部２１は、パケットの内容を解析し、アクション実行部２２は添付されたＤＳＰを表示部１４に表示させる（Ｓ５５）。【０１４２】  以上のステップＳ５１〜Ｓ５５によって、夫ヒロミは、妻ウサギの仕事を邪魔することなく妻ウサギの横顔を見ることができる。【０１４３】  したがって、夫ヒロミ、妻ウサギの両者は、言葉を交わしたり（通話）、文章を交換したり（ｅ−ｍａｉｌ）することなく、お互いに「相手のことを大変気に掛けているんだよ」というような”簡単な”想いを交換することができる。そういった想いは、通信パスをわざわざ確立した上で交換するものでも（つまり、わざわざメールアドレスをわざわざ入力した上で）、文章を書いて交換するものでもなく、スキンシップに似た感覚で交換できるべきものであり、本発明によるコミュニケーションは、そういった想いの交換を可能とするものである。【０１４４】  なお、上述したつながり通信においてはアクションパケットの宛先をメールアドレスとして説明したが、宛先を電話番号としてもよい。【０１４５】  また、通信端末を携帯電話機に適用した場合について説明したが、携帯情報端末（ＰＤＡ）等の他の通信端末に適用することができ、そのつながり通信においてはアクションパケットの宛先をその通信端末に割り当てられた固有のＩＤ等のアドレスとすることができる。【０１４６】  また、上記第１目的を達成するために、本発明に係る通信端末においては、伝送路を介して相手端末と通信する通信端末であって、複数の発信者それぞれに対応付けられた複数の情報記憶領域であるフォルダを有するフォルダ手段と、付属情報であるファイルが添付された電子メールを受信するメール受信手段と、受信された電子メールの発信者を特定するメール発信者特定手段と、特定された発信者に対応する前記フォルダに前記ファイルを格納する格納手段とを備えることを特徴とすることができる。【０１４７】  これにより、受信した電子メールに添付されたファイルを特定された発信者に対応するフォルダにいちいち格納する手間を省くことができる。したがって、伝送路を介して相手端末から着信があった場合に、発信者に対応するフォルダからファイルを容易に読み出すことが可能となる。【０１４８】  また、本発明に係る通信端末においては、前記通信端末はさらに、着信を検出する着信検出手段と、検出された着信の発信者を特定する発呼者特定手段と、特定された発信者に対応する前記フォルダに格納されたファイルを読み出し、画面に表示する表示手段とを備えることを特徴とすることができる。【０１４９】  これにより画面に表示されたファイルから発信者が誰であるかを知ることが可能となる。【０１５０】  また、本発明に係る通信端末においては、前記ファイルには、画像を示す画像ファイルが含まれ、前記表示手段は、前記フォルダから複数の画像ファイルを読み出し、読み出した複数の画像ファイルからなる映像を表示することを特徴とすることもできる。【０１５１】  これにより画面に表示された画像ファイルから発信者が誰であるかを容易に知ることが可能となる。【０１５２】  また、本発明に係る通信端末においては、前記フォルダには、当該フォルダに対応する発信者が写った写真を示す写真ファイルが含まれ、前記表示手段は、前記フォルダから前記写真ファイルを読み出し、読み出した写真ファイルを表示することを特徴とすることもできる。【０１５３】  これにより画面に表示された発信者が写った写真を示す写真ファイルから発信者が誰であるかを容易かつ確実に知ることができる。
【産業上の利用可能性】
【０１５４】  本発明に係る通信端末は、音楽や画像などのファイルと発信者とを簡単かつ容易に対応付けることができ、また、相手端末との通信の確立が容易で、ふとした時に生じる相手への想いを積極的に伝えることができる効果を有し、携帯電話機や、携帯情報端末、通信機能を有するパーソナルコンピュータなどに適用できる。
【図１】
2005081507.tif 000002
【図２】
2005081507.tif 000003
【図３】
2005081507.tif 000004
【図４】
2005081507.tif 000005
【図５】
2005081507.tif 000006
【図６】
2005081507.tif 000007
【図７】
2005081507.tif 000008
【図８】
2005081507.tif 000009
【図９】
2005081507.tif 000010
【図１０】
2005081507.tif 000011
【図１１】
2005081507.tif 000012
【図１２】
2005081507.tif 000013
【図１３】
2005081507.tif 000014
【図１４】
2005081507.tif 000015
【図１５】
2005081507.tif 000016
【図１６】
2005081507.tif 000017
【図１７】
2005081507.tif 000018
【図１８】
2005081507.tif 000019
【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
伝送路を介して相手端末と通信する通信端末であって、
タッピングを含む指による操作を受け付ける入力手段と、
受け付けられた操作に基づいて、相手端末が実行すべき動作であるアクションを記述したデータであるパケットを生成するパケット生成手段と、
生成されたパケットを前記相手端末に送信する送信手段と、
送信されてきたパケットを受信する受信手段と、
受信されたパケットに記述されたアクションを実行するアクション実行手段と
を備えることを特徴とする通信端末。
【請求項２】
前記パケット生成手段は、前記操作が画面を連続タッピングする操作である場合に、複数の画像を切り替えながら画面に表示する旨のアクションを記述したパケットを生成し、
前記アクション実行手段は、前記パケットが受信されると、予め保持している複数の画像を切り替えながら画面に表示する
ことを特徴とする請求項１記載の通信端末。
【請求項３】
前記パケット生成手段は、前記操作が画面をなぞる操作である場合に、なぞられた方向に画像をパンする旨のアクションを記述したパケットを生成し、
前記アクション実行手段は、前記パケットが受信されると、予め保持している画像を指示された方向にパンしながら画面に表示する
ことを特徴とする請求項１記載の通信端末。
【請求項４】
前記パケット生成手段は、前記操作が画面上で円を書く操作である場合に、画像を回転させながら表示する旨のアクションを記述したパケットを生成し、
前記アクション実行手段は、前記パケットが受信されると、予め保持している画像を回転させながら画面に表示する
ことを特徴とする請求項１記載の通信端末。
【請求項５】
前記パケット生成手段は、前記操作が画面を一度だけタップする操作である場合に、画像に波紋映像を重ねて表示する旨のアクションを記述したパケットを生成し、
前記アクション実行手段は、前記パケットが受信されると、予め保持している画像に波紋映像を重ねて画面に表示する
ことを特徴とする請求項１記載の通信端末。
【請求項６】
前記パケット生成手段は、前記操作が画面に表示された人物画像の一部をタップする操作である場合に、人物画像の一部を動かせて表示する旨のアクションを記述したパケットを生成し、
前記アクション実行手段は、前記パケットが受信されると、予め保持している人物画像の一部を動かせて画面に表示する
ことを特徴とする請求項１記載の通信端末。
【請求項７】
前記パケット生成手段は、前記操作が画面をｎ回タッピングする操作である場合に、ｎ枚の写真画像からなる映像を表示する旨のアクションを記述したパケットを生成し、
前記アクション実行手段は、前記パケットが受信されると、予め保持しているｎ枚の写真からなる映像を画面に表示する
ことを特徴とする請求項１記載の通信端末。
【請求項８】
前記画像は、前記パケットを送信してきた発信者が写った画像である
ことを特徴とする請求項２〜７のいずれか１項に記載の通信端末。
【請求項９】
前記パケット生成手段は、前記操作が所定の操作である場合に、写真を撮影して返信する旨のアクションを記述したパケットを生成し、
前記アクション実行手段は、撮像手段を有し、前記パケットが受信されると前記撮像手段で写真を撮影し、前記パケットを送信してきた相手端末に返信する
ことを特徴とする請求項１記載の通信端末。
【請求項１０】
伝送路を介して相手端末と通信する通信方法であって、
タッピングを含む指による操作を受け付ける入力ステップと、
受け付けられた操作に基づいて、相手端末が実行すべき動作であるアクションを記述したデータであるパケットを生成するパケット生成ステップと、
生成されたパケットを前記相手端末に送信する送信ステップと、
送信されてきたパケットを受信する受信ステップと、
受信されたパケットに記述されたアクションを実行するアクション実行ステップと
を含むことを特徴とする通信方法。
【請求項１１】
伝送路を介して相手端末と通信する通信端末のためのプログラムであって、
タッピングを含む指による操作を受け付ける入力ステップと、
受け付けられた操作に基づいて、相手端末が実行すべき動作であるアクションを記述したデータであるパケットを生成するパケット生成ステップと、
生成されたパケットを前記相手端末に送信する送信ステップと、
送信されてきたパケットを受信する受信ステップと、
受信されたパケットに記述されたアクションを実行するアクション実行ステップとを
コンピュータに実行させる
ことを特徴とするプログラム。
【請求項１２】
コンピュータに請求項１０記載の各ステップを実行させるためのプログラムを記録したコンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、伝送路を介して相手端末と通信する通信端末及び通信方法に関する。
【背景技術】
【０００２】
２００２年、携帯電話機の国内普及台数は、４０００万台を超え、その７割がカメラ内蔵型である。ユーザアンケートによると、カメラ付き携帯電話機で撮る被写体のベスト５は、友人の顔、自分の顔、景色、ペット、子供の顔である。
【０００３】
したがって、ユーザは、ネットワークを通じて受け取った静止画（Ｄｉｇｉｔａｌ  Ｓｔｉｌｌ  Ｐｉｃｕｔｒｅ、以下「ＤＳＰ」とも記す。）や、自分で撮ったＤＳＰを多量に携帯電話機に蓄積している。そして、ユーザは、これらのＤＳＰを待ち受け画面として使用したり、スライドショーとして再生したりすることができる。
【０００４】
ところで、携帯電話機のカスタマイズ手段として様々なものが提供されているが、その中で最もポピュラーな手段は、着メロ、着ウタに代表される着呼を知らせるための音＝着信音の変更である。ユーザは様々なサイトで有料／無料で提供されている音楽データを入手し、着信音として設定し、携帯電話機をカスタマイズしている。この着信音は、受信者サイドで発信者毎に異なる音楽を設定することも可能である。同種のものとしては、ＬＥＤの色や点滅パターンを変更して、発信者を知らせる手段もある。
【０００５】
また、先述した待ち受け画面の変更も携帯電話機のカスタマイズの一つである。待ち受け画面に設定するＤＳＰはユーザが好みによって選出したものであり、自分の家族の写真であったり、恋人の写真であったりする。ＬＣＤに表示された写真を見て、その人への想いをつのらせたりするわけである。
【０００６】
また、従来から、それぞれの端末が備えるセンサによって、動きやそれによって生じるノイズを伝えることで、お互いの存在情報を交換し、両者のつながり間を醸造する装置がある（例えば、特許文献１参照。）。この装置によって、ユーザは相手の姿を見なくても、その存在情報を知ることができる。
【特許文献１】特開２００２−３０７３３８号公報（第１頁、第１図）
【発明の開示】
【発明が解決しようとする課題】
【０００７】
しかしながら、従来の通信端末には、以下に列挙する問題点がある。
（１）  まず、第１に、着メロ、着ウタの設定は、発信者毎に異なる曲を設定することが可能であるが、その設定は、ユーザが、能動的に発信者毎に設定しなければならないので、１００人の発信者がいれば、１００回の設定を行う必要がある。実際には、再生可能な音楽を登録できる数が限定されるので、１００回の設定を行うというような極端なことはないが、いずれにせよユーザが発信者毎に音楽を登録しないといけないことには変わりはない。これは、非常に面倒で、苦痛を伴う作業である。
【０００８】
その一方で、ネットワークを経由してユーザ間で交換した大量のＤＳＰが、待ち受け画面としての利用を除き、ほとんど活用されていないことである。ユーザは、大量のＤＳＰを携帯内に抱えてはいるが、スライドショーとしてデジタル紙芝居を楽しむ他は、積極的に利用しているとはいいがたい。
【０００９】
さらに、待ち受け画面でどんな写真を表示していても、その表示と通信とは関連を持たないので、写真に写っている人と通信したい場合でも、「まず、アドレス帳を検索して、次に通信を確立して」といったステップを踏まなければならず、非常に面倒である。
【００１０】
（２）  第２に、従来技術が提案するつながり間通信は、お互いの存在情報を交換するもので、存在情報によって安心感を生むことはあるが、より積極的にふとした時に生じる相手への想いを伝えるものではない。そういった想いは、言葉や文字にならないものであったり、言葉や文字にするほどの形式的なものでもないので、従来の音声通話や電子メールによるコミュニケーションとはそぐわないものであり、新たな通信手段が必要である。
【００１１】
すなわち、従来技術では、音楽や画像などのファイルと発信者とを対応付けるのが煩雑で、困難であるという第１の問題点がある。
【００１２】
また、従来技術では、相手端末との通信の確立が困難で、ふとした時に生じる相手への想いを積極的に伝えるのが困難であるという第２の問題点がある。
【００１３】
そこで、本発明は、音楽や画像などのファイルと発信者とを簡単かつ容易に対応付けることができる通信端末を提供することを第１の目的とする。
【００１４】
また、本発明は、相手端末との通信の確立が容易で、ふとした時に生じる相手への想いを積極的に伝えることができる通信端末を提供することを第２の目的とする。
【課題を解決するための手段】
【００１５】
本発明に係る通信端末においては、伝送路を介して相手端末と通信する通信端末であって、複数の発信者それぞれに対応付けられた複数の情報記憶領域であるフォルダを有するフォルダ手段と、付属情報であるファイルが添付された電子メールを受信するメール受信手段と、受信された電子メールの発信者を特定するメール発信者特定手段と、特定された発信者に対応する前記フォルダに前記ファイルを格納する格納手段とを備えることを特徴とすることができる。
【００１６】
これにより、受信した電子メールに添付されたファイルを特定された発信者に対応するフォルダにいちいち格納する手間を省くことができる。したがって、伝送路を介して相手端末から着信があった場合に、発信者に対応するフォルダからファイルを容易に読み出すことが可能となる。
【００１７】
また、本発明に係る通信端末においては、前記通信端末はさらに、着信を検出する着信検出手段と、検出された着信の発信者を特定する発呼者特定手段と、特定された発信者に対応する前記フォルダに格納されたファイルを読み出し、画面に表示する表示手段とを備えることを特徴とすることができる。
【００１８】
これにより画面に表示されたファイルから発信者が誰であるかを知ることが可能となる。
【００１９】
また、本発明に係る通信端末においては、前記ファイルには、画像を示す画像ファイルが含まれ、前記表示手段は、前記フォルダから複数の画像ファイルを読み出し、読み出した複数の画像ファイルからなる映像を表示することを特徴とすることもできる。
【００２０】
これにより画面に表示された画像ファイルから発信者が誰であるかを容易に知ることが可能となる。
【００２１】
また、本発明に係る通信端末においては、前記フォルダには、当該フォルダに対応する発信者が写った写真を示す写真ファイルが含まれ、前記表示手段は、前記フォルダから前記写真ファイルを読み出し、読み出した写真ファイルを表示することを特徴とすることもできる。
【００２２】
これにより画面に表示された発信者が写った写真を示す写真ファイルから発信者が誰であるかを容易かつ確実に知ることができる。
【００２３】
また、本発明に係る通信端末においては、伝送路を介して相手端末と通信する通信端末であって、タッピングを含む指による操作を受け付ける入力手段と、受け付けられた操作に基づいて、相手端末が実行すべき動作であるアクションを記述したデータであるパケットを生成するパケット生成手段と、生成されたパケットを前記相手端末に送信する送信手段と、送信されてきたパケットを受信する受信手段と、受信されたパケットに記述されたアクションを実行するアクション実行手段とを備えることを特徴とする。
【００２４】
これにより、アドレス帳を検索して、次に通信を確立して、といったステップを踏まなくても、相手端末と通信が確立され、相手端末においてタッピングを含む指による操作に対応したアクションが実行されるので、より積極的にふとした時に生じる相手への想いを伝えることができる。
【００２５】
また、本発明に係る通信端末においては、前記パケット生成手段は、前記操作が画面を連続タッピングする操作である場合に、複数の画像を切り替えながら画面に表示する旨のアクションを記述したパケットを生成し、前記アクション実行手段は、前記パケットが受信されると、予め保持している複数の画像を切り替えながら画面に表示することを特徴とすることができる。
【００２６】
これにより、複数の画像を切り替えながら画面に表示させることで、より積極的にふとした時に生じる相手への想いを伝えることができる。
【００２７】
また、本発明に係る通信端末においては、前記パケット生成手段は、前記操作が画面をなぞる操作である場合に、なぞられた方向に画像をパンする旨のアクションを記述したパケットを生成し、前記アクション実行手段は、前記パケットが受信されると、予め保持している画像を指示された方向にパンしながら画面に表示することを特徴としてもよい。
【００２８】
これにより、画像を指示した方向にパンしながら画面に表示させることで、より積極的にふとした時に生じる相手への想いを伝えることができる。
【００２９】
また、本発明に係る通信端末においては、前記パケット生成手段は、前記操作が画面上で円を書く操作である場合に、画像を回転させながら表示する旨のアクションを記述したパケットを生成し、前記アクション実行手段は、前記パケットが受信されると、予め保持している画像を回転させながら画面に表示することを特徴としてもよい。
【００３０】
これにより、画像を回転させながら画面に表示させることで、より積極的にふとした時に生じる相手への想いを伝えることができる。
【００３１】
また、本発明に係る通信端末においては、前記パケット生成手段は、前記操作が画面を一度だけタップする操作である場合に、画像に波紋映像を重ねて表示する旨のアクションを記述したパケットを生成し、前記アクション実行手段は、前記パケットが受信されると、予め保持している画像に波紋映像を重ねて画面に表示することを特徴としてもよい。
【００３２】
これにより、画像に波紋映像を重ねて画面に表示させることで、より積極的にふとした時に生じる相手への想いを伝えることができる。
【００３３】
また、本発明に係る通信端末においては、前記パケット生成手段は、前記操作が画面に表示された人物画像の一部をタップする操作である場合に、人物画像の一部を動かせて表示する旨のアクションを記述したパケットを生成し、前記アクション実行手段は、前記パケットが受信されると、予め保持している人物画像の一部を動かせて画面に表示することを特徴としてもよい。
【００３４】
これにより、例えば、ウィンクや、微笑む、投げキッス等のように人物画像の一部を動かせて画面に表示させることで、より積極的にふとした時に生じる相手への想いを伝えることができる。
【００３５】
また、本発明に係る通信端末においては、前記パケット生成手段は、前記操作が画面をｎ回タッピングする操作である場合に、ｎ枚の写真画像からなる映像を表示する旨のアクションを記述したパケットを生成し、前記アクション実行手段は、前記パケットが受信されると、予め保持しているｎ枚の写真からなる映像を画面に表示することを特徴とすることもできる。
【００３６】
これにより、動画的な映像を画面に表示させることで、より積極的にふとした時に生じる相手への想いを伝えることができる。
【００３７】
また、本発明に係る通信端末においては、前記画像は、前記パケットを送信してきた発信者が写った画像であることを特徴とすることもできる。
【００３８】
これにより、発信者が映った画像を画面に表示させることで、より積極的にふとした時に生じる相手への想いを伝えることができる。
【００３９】
また、本発明に係る通信端末においては、前記パケット生成手段は、前記操作が所定の操作である場合に、写真を撮影して返信する旨のアクションを記述したパケットを生成し、前記アクション実行手段は、撮像手段を有し、前記パケットが受信されると前記撮像手段で写真を撮影し、前記パケットを送信してきた相手端末に返信することを特徴とすることができる。
【００４０】
これにより、操作をしたユーザは、通信相手の仕事等の邪魔することなく相手の映像を見ることが可能となり、より積極的にふとした時に生じる相手への想いを増すこともできる。
【００４１】
なお、本発明は、このような通信端末として実現することができるだけでなく、このような通信端末が備える特徴的な手段をステップとする通信方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのはいうまでもない。
【発明の効果】
【００４２】
以上の説明から明らかなように、本発明に係る通信端末によれば、受信した電子メールに添付されたファイルを特定された発信者に対応するフォルダにいちいち格納する手間を省くことができるので、伝送路を介して相手端末から着信があった場合に、発信者に対応するフォルダからファイルを容易に読み出すことが可能となる。
【００４３】
また、アドレス帳を検索して、次に通信を確立してといったステップを踏まなくても、相手端末と通信が確立され、相手端末においてタッピングを含む指による操作に対応したアクションが実行されるので、より積極的にふとした時に生じる相手への想いを伝えることもできる。
【００４４】
よって、本発明により、死蔵されていたファイルの有効利用が可能となり、携帯電話機等の通信端末が普及してきた今日における本願発明の実用的価値は極めて高い。
【発明を実施するための最良の形態】
【００４５】
以下、本発明の実施の形態に係る通信端末について、図面を用いて詳細に説明する。
（実施の形態１）
図１は、本発明の実施の形態１に係る通信システム１の全体構成を示す図である。
【００４６】
この通信システム１は、着呼があるとその発信者と関連のある画像を用いてショートフィルムを生成し、再生することでコミュニケーションの円滑化を図るものであって、無線の伝送路であるネットワーク９０を介してパケット通信する複数（図示２つ）の通信端末１０ａ，１０ｂを備える。
【００４７】
通信端末１０ａ，１０ｂは、互いに異なるユーザ（例えば、夫の出雲ヒロミと、その妻の出雲ウサギ）にそれぞれ携帯され、パケット中に音声や、ＤＳＰを添付した電子メール等の種々のデータを送受信する携帯電話機等のような通信装置であり、基地局との間で電波を送受信するためのアンテナex２０１と、ＣＣＤｅｘ１２９や、フラッシュ等を含み、静止画を撮ることが可能なカメラ部ex２０３と、操作キーex２０４群から構成される本体部、スピーカ等により構成され、音楽や、通話音声を出力するための音声出力部ex２０８、マイク等により構成され、音声を入力するための音声入力部ex２０５、デジタルカメラ等により撮影した静止画等のデータを保持する記録メディアex２０７、通信端末１０ａ，１０ｂに記録メディアex２０７を装着可能とするためのスロット部ex２０６と、ＬＣＤ等で構成され、カメラ部ex２０３で撮影した静止画や、アンテナex２０１を介して受信した静止画等を表示するための表示部ex２０２等とを備える。
【００４８】
なお、表示部ex２０２の表面にはタッチパネルが装着されている。
また、ユーザがカメラ付きの携帯電話機を用いてＤＳＰの添付されたｅ−ｍａｉｌを交換するのが日常となっているので、この通信端末１０ａ，１０ｂは、静止画等を記憶するための記憶部１６を機体内部に備えており、静止画が添付された電子メールを受信した場合に、通信相手から送信されてきた多数のＤＳＰを電子メールの送信人に対応付けられたフォルダに自動的に格納したり、着呼があった場合に、その発信者と関連のある静止画をフォルダから読み出して、ＢＧＭ付きのショートフィルムを生成し、再生する。なお、ここで着呼とは、音声通話におけるオフフックを促すためのデータや、電子メールのデータ等、種々のデータを含むパケットの受信を意味する。
【００４９】
図２は、図１に示される通信端末の機能構成を示すブロック図である。なお、通信端末１０ａ，１０ｂの構成が同じであるので、通信端末１０ａをその代表として説明する。また、ここでは、パケット受信に関連する機能構成に係る部分だけが図示されている。
【００５０】
図２に示されるように通信端末１０ａは、着信部１１と、アプリケーション起動部１２と、ショートフィルム生成・再生部１３と、表示部１４と、アドレス帳１５と、記憶部１６等とから構成される。
【００５１】
着信部１１は、上記のアンテナex２０１等により構成され、ネットワーク９０を介するパケットの受信インターフェースを提供する。また、着信部１１は、ｅ−ｍａｉｌを受信すると、着信をアプリケーション起動部１２に通知するとともに、アドレス帳１５にｅ−ｍａｉｌの発信者のメールアドレスを渡す。
【００５２】
アプリケーション起動部１２は、入力に応じて予め登録されたアプリケーションを起動するが、ここでは、ショートフィルム生成・再生部１３を起動させる。
【００５３】
ショートフィルム生成・再生部１３は、発信人に対応するフォルダに格納されたＤＳＰを使ってＢＧＭ付きのショートフィルムを生成し、即座に再生を始める。
【００５４】
表示部１４は、ショートフィルム生成・再生部１３によって再生されたショートフィルム等を表示する。
【００５５】
アドレス帳１５は、図３に示されるように、端末所有者の家族や、友人、知人のパーソナルデータ（住所、氏名、年齢、電話番号、メールアドレスなど）を記憶したある種のデータベースであるが、それに加えて、家族や、友人、知人から送信されてきた添付データを保存するフォルダ名もさらに記憶する。つまり、アドレス帳１５は、名前、メールアドレス、電話番号、住所等の他、パケットの差出人に関連付けられるフォルダ名などの属性で構成されている。そして、フォルダ名は、記憶部１６において、データを保存するための領域を指定する、いわばアドレスのような役割を果たす。これにより、発信者の電話番号、あるいは、メールアドレスをキーとしてアドレス帳を検索して、発信者と関連付けされたフォルダに添付データを保存したりすることが可能となる。
【００５６】
図示例では、勤めの関係で大阪に単身赴任している夫の出雲ヒロミ、自宅及び勤めの関係で東京に残った妻の出雲ウサギ、学校の関係で寮生活している娘の出雲モモ、竹馬の友の大和タケシについて、名前、メールアドレス、電話番号、住所、フォルダ名が記載されている。なお、アドレス帳１５は、着信部１１からｅ−ｍａｉｌの発信者のメールアドレスが渡されると、当該メールアドレスに対応するフォルダ名を出力する機能を備えている。
【００５７】
記憶部１６は、アドレス帳１５に登録されたフォルダを備える。また、記憶部１６は、電子メールから切り離された添付ＤＳＰを、アドレス帳１５から出力されたフォルダ名の示すフォルダに保存する機能を備えている。また、記憶部１６は、アドレス帳１５から指示されたフォルダからＤＳＰを複数毎選出し、選出した静止画をショートフィルム生成・再生部１３に出力する機能も備えている。
【００５８】
次いで、通信端末１０ａ（１０ｂ）でＤＳＰの添付されたｅ−ｍａｉｌを受信した場合のＤＳＰの動きについて説明する。
【００５９】
図４は、ＤＳＰの添付されたｅ−ｍａｉｌを受信した場合に行われるＤＳＰ格納処理を示すフローチャートである。
【００６０】
着信部１１は、メールサーバーから静止画が添付されたｅ−ｍａｉｌを受信すると（Ｓ１１）、ｅ−ｍａｉｌ本体と静止画とを分離する（Ｓ１２）。そして、着信部１１は、そのｅ−ｍａｉｌの発信者のメールアドレスをキーとしてアドレス帳１５に渡すとともに、分離した静止画を記憶部１６に渡す。
【００６１】
アドレス帳１５は、着信部１１から渡されたヘッダ情報中の発信者名でアドレス帳を検索し、発信者と関連付けられたフォルダ名を取得し（Ｓ１３）、発信者と関連付けられたフォルダ名を記憶部１６に出力する。記憶部１６は、アドレス帳１５から指定されたフォルダ名のフォルダに静止画を保存する（Ｓ１４）。
【００６２】
以上の動作により、発信者が撮影した写真が、発信者と関連付けられたフォルダ内に自動的に整理され、貯まっていくことになる。
【００６３】
次に、着信時の動作を、ｅ−ｍａｉｌを受信した場合を例として説明する。
図５は、ｅ−ｍａｉｌを受信した場合に行われる着信処理を示すフローチャートである。なお、同図においては、電話があった場合に行われる着呼処理も併せて示されている。
【００６４】
着信部１１は、ｅ−ｍａｉｌを受信すると（Ｓ１５でＹｅｓ）、着信をアプリケーション起動部１２に通知するとともに、アドレス帳１５にｅ−ｍａｉｌの発信者のメールアドレスを渡す（Ｓ１６）。
【００６５】
アプリケーション起動部１２は、着信部１１から着信の通知を受けると、ショートフィルム生成・再生部１３を起動させる。
【００６６】
一方、アドレス帳１５は、入力されたメールアドレスと関連付けられたフォルダ名を記憶部１６に出力し、記憶部１６は、フォルダ名に対応するフォルダからＤＳＰを複数毎選出し（Ｓ１７）、ショートフィルム生成・再生部１３に出力する。ここでのＤＳＰ選出ルールは、フォルダ内の最新のものであっても構わないし、ランダムに選出した複数毎であっても構わない。そのＤＳＰ選出ルールは、ショートフィルム生成・再生部１３に依存したものであればよい。
【００６７】
ショートフィルム生成・再生部１３は、選出された静止画と、これらの静止画にマッチした音楽をＢＧＭとしてショートフィルムを生成し、再生する（Ｓ１８）。
【００６８】
再生されたコンテンツであるショートフィルムの映像は、表示部１４で表示され、また、ＢＧＭは音声出力部ex２０８から再生される（Ｓ１９）。なお、ここでは、ｅ−ｍａｉｌを受信した場合を例として説明したが、通話の場合の着呼においても同様にショートフィルムが生成され、再生される。
【００６９】
したがって、従来のように着メロや、待ち受け画面を予め設定するような煩雑な操作が必要がなく、予め保持する音楽や静止画を用いて、かつ発信者用に自動的にカスタマナイズされたショートフィルムでメールもしくは音声通話が着信したことと、及び着信相手を知らせることができる。
【００７０】
つまり、本発明のメリットは、ユーザが発信者毎の着信通知コンテンツを設定する必要がないことである。普段のメール交換によって貯まったＤＳＰを使って、発信者固有のコンテンツが再生されるので、あたかも発信者毎に着呼を知らせるコンテンツをセットしたのと同じ効果を得ることができる。
【００７１】
なお、ここでは、ショートフィルムを生成し、再生する場合について説明したが、このショートフィルムの再生に合わせて、通信端末１０ａ（１０ｂ）に設けられたＬＥＤを発光させたり、発光色を変化させたりするようにしてもよい。
【００７２】
また、ショートフィルムを生成し、再生する場合について説明したが、着信や着呼があった場合に、対応するフォルダから静止画を１枚だけ取り出して、この静止画を表示するようにしてもよい。この場合には、ステップＳ１７において静止画を１枚だけ取り出し、ステップＳ１８において静止画だけを再生し、ステップＳ１９において静止画を表示するようにすればよい。
【００７３】
これによっても、従来のように着メロや、待ち受け画面を予め設定するような煩雑な操作が必要がなく、予め保持する静止画を用いて、かつ発信者用に自動的にカスタマナイズされた静止画でメールもしくは音声通話が着信したことと、及び着信相手を知らせることができる。
【００７４】
（実施の形態２）
次いで、本発明の実施の形態２に係る通信システムに用いられる他の通信端末について説明する。
【００７５】
図６は、通信端末１０ａ，１０ｂに代えて用いられる他の通信端末２０ａ，２０ｂの機能構成を示すブロック図である。なお、通信端末２０ａ，２０ｂの構成が同じであるので、通信端末２０ａをその代表として説明する。また、ここでは、パケット受信に関連する機能構成に係る部分だけが図示されている。また、通信端末１０ａと対応する構成部分に同じ番号を付し、その説明を省略する。
【００７６】
通信端末２０ａは、着信部１１、アプリケーション起動部１２、ショートフィルム生成・再生部１３、表示部１４、アドレス帳１５及び記憶部１６の他、さらに画像取得部１７、顔検出部１８及び顔認識部１９を備える。
【００７７】
ところで、発信者から送られてきたＤＳＰにその発信者自身が映っているとは限られず、他人だけが映っている場合や、風景だけが映っている場合もありうる。このような発信者自身が映っていない静止画がショートフィルムの素材として選択されると、ショートフィルムから発信者を特定しがたい場合も発生する。そこで、メールの着信があったような場合に、そのメールアドレスの本人（発信人）が写った写真だけを選出することができるように、通信端末２０ａに顔検出部１８及び顔認識部１９を設け、静止画中の顔の位置や、顔の名前等の情報を予め取得する構成が採用されている。
【００７８】
顔検出部１８は、ＤＳＰの画像データ内をサーチして、静止画内の顔が写っている領域を特定し、その領域の座標値を抽出する。また、顔検出部１８は、顔だけでなく、さらに目、口等のパーツが映っている領域を特定し、その領域の座標値を抽出する。その領域の形状は、四角（四角形の一つの対角線の始点と終点の座標）であっても、円（円の中心座標と、円の半径）であっても構わない。
【００７９】
顔認識部１９は、指定された領域内にある顔が誰であるかを判定し、その名前を特定する。顔が誰であるかの判定は、予め保持する発信人の特徴パターンとパターンマッチングすること等により行われる。
【００８０】
なお、顔検出部１８及び顔認識部１９による処理は、例えば図４におけるステップＳ１２と、ステップＳ１３との間に実行される。
【００８１】
そして、ステップＳ１４において、上記２種類のデータ（顔の座標、顔の名前）は、オブジェクト情報として静止画と対応付けられ、アドレス帳１５により指定されたフォルダ名に対応する記憶部１６内のフォルダに静止画とともに保存される。なお、フォルダ名は、顔認識部１９が認識した名前でアドレス帳を検索することにより、その名前とリンクされたフォルダ名が取得される。
【００８２】
図７は、上記したオブジェクト情報の構成例を示す図である。
オブジェクト情報１９１は、図７に示されるように、抽出したオブジェクトが接する円の中心の座標と、半径の大きさによって表される位置情報と、対応する静止画のファイル名との他、特徴点及び名前を含んで構成される。特徴点としては、上記したように目頭、目尻、鼻の頂点、口の両端、眉の始まりと終わりの位置座標である。
【００８３】
このように構成されたオブジェクト情報１９１により、画像処理の対象となる全ての静止画に付き、それぞれオブジェクトの位置及び顔特徴点等が取得され、オブジェクトのパーツを中心とした画像処理や、名前を中心とした画像処理が可能となる。
【００８４】
なお、静止画は、ＥＸＩＦのようにヘッダ情報と画像データ部（ＪＰＥＧなどのフォーマット）が１つのファイルに構成されるデータであるので、このヘッダ情報中にオブジェクト情報１９１を格納してもよい。もちろん、ヘッダ情報と画像データは別々のファイルであって、データベース、ＨＴＭＬ文書などのように何らかの手段によって関連付けされている形式の場合であっても、この形式にあわせてオブジェクト情報１９１を関連付けする構成にしてもよい。
【００８５】
画像取得部１７は、上述したカメラ部ex２０３や記録メディアex２０７等により構成され、カメラ部ex２０３により撮影された静止画や、記録メディアex２０７に格納された静止画を取得する。この取得された静止画については、発信人が存在せず、また誰が映っているかも解らない。
【００８６】
このため、画像取得部１７によって取得された静止画についても、顔検出部１８及び顔認識部１９によってオブジェクト情報１９１を作成するようにしている。この場合については、顔認識部１９によって認識された名前からアドレス帳１５の名前を参照し、参照された名前のフォルダ名のフォルダにその静止画及びオブジェクト情報１９１が格納される。これにより、ユーザが保持する写真の有効利用を図ることもできる。なお、静止画が添付されたメールを受信した場合において、送信人（例えば、出雲モモ）と画像に写っている人（例えば、出雲ウサギ）が異なるときについても、写っている人と対応するフォルダ（ｕｓａｇｉ）に格納するようにしてもよい。
【００８７】
このような構成により、メールの着信があったような場合に、図５に示されるステップＳ１７において、そのメールアドレスに対応するフォルダからその本人（発信人）が写った写真だけを選出し、ショートフィルムを生成し、再生することができるので、ショートフィルムから発信者を確実に特定することができる。
【００８８】
（実施の形態３）
図８は、本発明の実施の形態３に係る通信システム２の全体構成を示す図である。
【００８９】
この通信システム２は、言葉やメールで意思を伝え合う従来のコミュニケーションと異なり、タッチパネルをタッチする等の簡単な操作で、言葉にする前の言葉にならない”想い”を伝え合い、コミュニケーションの円滑化を図るものであって、無線の伝送路であるネットワーク９０を介して操作に対応するアクションをパケット通信する複数（図示２つ）の通信端末３０ａ，３０ｂを備える。
【００９０】
図９は、図８に示される通信端末３０ａ，３０ｂの機能構成を示すブロック図である。なお、通信端末３０ａ，３０ｂの構成が同じであるので、通信端末３０ａをその代表として説明する。また、通信端末１０ａ，２０ａと対応する構成部分に同じ番号を付し、その説明を省略する。
【００９１】
通信端末３０ａは、上記した着信部１１、表示部１４、アドレス帳１５及び記憶部１６の他、さらに、パケット解析部２１、アクション実行部２２、入力部３１、パケット生成部３２及びパケット送信部３３等を備える。なお、ここでは、図示されていないが、図６に示される顔検出部１８及び顔認識部１９を備える構成であってもよい。
【００９２】
入力部３１は、上記したタッチパネルや、ジョグダイアルなどのボタン類ex２０４により構成され、操作者が行うタップ等の操作（操作情報）を受け付ける。
【００９３】
パケット生成部３２は、入力部３１で受け取った操作から、パケット受信側でのアクションを記述したパケット（リクエストパケット）を生成する。すなわち、パケット生成部３２は、操作−アクション変換テーブル３２１を有し、操作−アクション変換テーブル３２１に基づいてパケットを生成する。
【００９４】
操作−アクション変換テーブル３２１は、図１０に示されるように、入力操作と出力側のアクションの関係を規定するものであり、例えば入力側の操作が一度だけタップするものであれば、出力側で波紋のような映像を重ねるアクションを行うアクション情報に変換される。また、入力側の操作が連続タッピングするものであれば、出力側において選択された３枚の静止画をｓｔｉｌｌ→ｓｔｉｌｌ→ｓｔｉｌｌ、つまりスライドショーのように連続して切り替え表示するアクション情報に変換される。また、入力側の操作が画面上をなぞるものであれば、出力側で静止画をなぞった方向にパンするアクション情報に変換される。また、入力側の操作が画面上で円を書くものであれば、出力側で画像を回転させるアクション情報に変換される。
【００９５】
なお、パケット生成部３２は、操作情報を受け取った際、表示部１４に表示されている静止画（待ち受け画面）が格納されているフォルダをサーチし、さらにアドレス帳１５を参照してサーチしたフォルダのフォルダ名からメールアドレスを取得する。そして、パケット生成部３２は、取得したメールアドレスを宛先とし、アクション情報を格納したパケットを生成する。
【００９６】
パケット送信部３３は、ネットワーク９０とのインターフェースを提供する。
パケット解析部２１は、受信したパケットのアクションの種別を解析する。
【００９７】
アクション実行部２２は、パケット解析部２１が解析した種別のアクションを実行する。
【００９８】
次いで、通信端末３０ａ，３０ｂ間で行われるつながり感通信について説明する。
図１１は、通信端末３０ａ，３０ｂ間で行われるつながり感通信を実現するためのアクションパケット通信処理を示すフローチャートである。なお、ここでは通信端末３０ａにおける処理が示されている。また、この通信端末３０ａの表示部１４にはあるフォルダ（例えば、ｕｓａｇｉ）に格納されている出雲ウサギの静止画が表示されているものとして説明する。
【００９９】
通信端末３０ａの入力部３１は、タッピングを含む指による操作が行われるのを待ち（Ｓ２１）、パケット着信部１１はアクションパケットを受信するのを待つ（Ｓ２６）。
【０１００】
操作があると（Ｓ２１でＹｅｓ）、入力部３１は操作を受け付ける（Ｓ２２）。そして、パケット生成部３２は、受け付けられた操作に基づいて、相手端末が実行すべき動作であるアクションを記述したデータであるパケットを生成する（Ｓ２３）。パケットの生成が終わると、パケット送信部３３は、生成されたパケットを表示部に表示されている静止画に対応する相手端末に送信する（Ｓ２４）。
【０１０１】
一方、指による操作がない場合において（Ｓ２１でＮｏ）、アクションパケットを受信したとき（Ｓ２６でＹｅｓ）、アクション解析部２１によるアクションパケットの解析結果に基づいて、アクション実行部２２は、受信されたパケットに記述されたアクションを実行する（Ｓ２７）。なお、パケットを受信した際に表示部に静止画が表示されていない場合や、パケットの発信元と異なるフォルダに格納されている静止画が表示されている場合には、パケットの発信元に対応するフォルダから静止画が選択された後、選択された静止画に対してパケットに記述されたアクションが実行される。
【０１０２】
図１２は、通信端末３０ａ，３０ｂ間で行われるつながり感通信の通信シーケンスを示す図である。
【０１０３】
なおここでは、夫ヒロミ、妻ウサギの所持するそれぞれの通信端末３０ａ，３０ｂは、充電器にセットされた状態で、かつ待ち受け状態で待っているものとし、夫ヒロミの通信端末３０ａは、妻ウサギの写真を待ち受け画面に表示し、妻ウサギの通信端末３０ｂは、娘モモの写真を待ち受け画面に表示しているものとして説明する。
【０１０４】
夫ヒロミは、妻ウサギの写真を待ち受け画面に表示している状態で、通信端末３０ａのタッチパネル（入力部３１）を一度だけタップする（Ｓ３１）。通信端末３０ａのパケット生成部３２は、通信端末３０ｂでのアクション（波紋）及びタップされた位置を記述したリクエストパケットを生成して、通信端末３０ｂに送信する（Ｓ３２）。なお、妻ウサギの写真での待ち受け状態でタップしたので、リクエストパケットの宛先は、自動的に通信端末３０ｂのメールアドレスとなる。
【０１０５】
通信端末３０ｂのパケット解析部２１は、着信部１１を介してリクエストパケットを受信すると、このパケットに格納された発信人（夫ヒロミ）、アクション（波紋）、タッチ位置をアクション実行部２２に出力する。これを受け取ったアクション実行部２２は、パケットの発信者（夫ヒロミ）と関連付けられたフォルダ（ｈｉｒｏｍｉ）内の写真を１枚選出し、その写真を表示部１４に待ち受け画面として表示し、その画面にタッチ位置を中心としたアクションである波紋のような映像を重ねる（Ｓ３３）。
【０１０６】
波紋のアクションの表示に気づいた妻ウサギが同様に夫ヒロミの写真が表示された画面を連続タップすると（Ｓ３４）、通信端末３０ｂのパケット生成部３２は、通信端末３０ａでのアクション（静止画の連続切り替え）及びタップされた位置を記述したリクエストパケットを生成して、通信端末３０ａに送信する（Ｓ３５）。なお、夫ヒロミの写真をタップしたので、リクエストパケットの宛先は、自動的に通信端末３０ａのメールアドレスとなる。
【０１０７】
通信端末３０ａのアクション実行部２２は、リクエストパケットを受信すると、フォルダ（ｕｓａｇｉ）から取り出した３枚の写真を用いて、このパケットに記述されたアクション、ショートフィルム（スライドショー）の再生を実行する（Ｓ３６）。なお、波紋のアクションやスライドショーのアクションが終了したら、元の待ち受け画面に戻る。
【０１０８】
以上のようなステップＳ３１〜Ｓ３６によって、夫ヒロミ、妻ウサギの両者は、言葉を交わしたり（通話）、文章を交換したり（ｅ−ｍａｉｌ）することなく、お互いに「相手のことを気に掛けているんだよ」というような”簡単な”想いを交換することができる。そういった想いは、通信パスをわざわざ確立した上で交換するものでも（つまり、通信相手のメールアドレスをわざわざ入力した上で）、文章を書いて交換するものでもなく、スキンシップに似た感覚で交換できるべきものであり、本発明によるコミュニケーションは、そういった想い、つながり感の交換を可能とするものである。
【０１０９】
なお、ここでは、通信端末３０ａにおいて一度タップされ、通信端末３０ｂにおいて連続タップされた場合について説明したが、各通信端末３０ａ，３０ｂにおける操作はこれに限られるものでなく、例えば通信端末３０ａにおいて３度タップされ、通信端末３０ｂにおいて一度タップされるような他の操作であってもよいのはいうまでもない。
【０１１０】
図１３は、通信端末３０ａにおいて３度タップされ、通信端末３０ｂにおいて一度タップされた場合において、通信端末３０ａ，３０ｂ間で行われるつながり感通信の通信シーケンスを示す図である。なお、ここでは、妻ウサギは、オフィスで通信端末３０ｂを充電するために充電器にセットして、そのＬＣＤには娘モモの写真を使って、ショートフィルムを再生し、夫ヒロミは、通信端末３０ａを充電器にセットして、妻ウサギの写真を待ち受け画面に表示しているものとして説明する。
【０１１１】
夫ヒロミが妻ウサギのＤＳＰが表示されている通信端末３０ａのタッチパネルを３度タッピングすると（Ｓ４１）、通信端末３０ａの入力部３１はタッチパネルからの入力を受け付け、パケット生成部３２は通信端末３０ａでのアクションを記述したリクエストパケットを生成して、それを妻ウサギの通信端末３０ｂに対して送信する（Ｓ４２）。
【０１１２】
通信端末３０ａからのリクエストパケットを受信した通信端末３０ｂのアクション実行部２２は、リクエストパケットに記述されたアクションを実行する。具体的には、アクション実行部２２は、まず、発信者夫ヒロミのメールアドレスをキーとしてアドレス帳１５を検索し、夫ヒロミと関連付けられたフォルダ名ｈｉｒｏｍｉを得る。そして、アクション実行部２２は、フォルダ名ｈｉｒｏｍｉで指定された記憶部１６のフォルダｈｉｒｏｍｉから、写真を３枚抽出して、その３枚の写真を使った静止画の連続切り替えのシーンをショートフィルムに挿入して、表示する。つまり、娘モモが映ったショートフィルムの再生の途中に夫ヒロミが映ったショートフィルムを挿入する。夫ヒロミが映ったショートフィルムの再生が終了したら、元の状態に戻る。つまり、娘モモが映ったショートフィルムの再生に戻る。
【０１１３】
夫ヒロミが映ったショートフィルムの再生中に妻ウサギがその表示に気づいたら、妻ウサギもまた、その画面に対して何らかのアクションを返すことができる。ここでは、タッピングを１回実施したものとする（Ｓ４３）。通信端末３０ｂのパケット生成部３２は、入力に応じて、タッピングした位置、送信先（通信端末３０ａ）でのアクション（波紋）を記述したリクエストパケットを生成して、パケット送信部３３はそのリクエストパケットを夫ヒロミの通信端末３０ａに対して送信する（Ｓ４４）。
【０１１４】
そのリクエストパケットを受信した通信端末３０ａのパケット解析部２１は、パケット内の内容を解析して、アクション実行部２２は解析結果に基づいて妻ウサギのメールアドレスに関連付けられたフォルダｍｏｍｏから写真を１枚取り出し、それを表示部１４に表示して、指定された位置を中心として「波紋」を重ねる。
【０１１５】
以上の通信方法によって、ふとした折に相手のことを思い出した時、言葉を交わすほどではないが、簡単な／簡潔な操作で、言葉にならない”想い”を伝え合うことができる。しかも、通信端末３０ｂでは久しぶりに家族全員が揃ったような雰囲気を味わうこともできる。
【０１１６】
つまり、本発明による端末を使ったコミュニケーション方法は、わざわざ通信経路を確立した上で言葉を交わすことによって成立させる従来のコミュニケーション方法と異なり、通信経路を確立させることなく、お互いに言葉を交わすことなく、両者にとって通信のための精神的な敷居の低いコミュニケーション方法を提供している。
【０１１７】
なお、上記実施の形態では操作−アクション変換テーブル３２１の内容として図１０に示されるように、一度タップ、連続タップ等について規定したが、顔のパーツ、目、口等の位置が識別できる場合、つまりオブジェクト情報１９１が存在する場合、操作−アクション変換テーブル３２１にさらに他の操作とアクションとを規定するようにしてもよい。
【０１１８】
図１３は、さらに他の操作とアクションとが規定された操作−アクション変換テーブル３２１の構成例を示す図である。
【０１１９】
図１３に示されるように、この操作−アクション変換テーブル３２１においては、入力側の操作が目をタップするものであれば、出力側でウィンクするアクションを行うアクション情報に変換される。また、入力側の操作が口をタップするものであれば、出力側で微笑むアクションを行うアクション情報に変換される。また、入力側の操作が口をなぞるものであれば、出力側で投げキッスするアクションを行うアクション情報に変換される。
【０１２０】
このように構成された図１４に示される操作−アクション変換テーブル３２１を用いるとつながり感の強い通信を行うことができる。
【０１２１】
次いで、図１４に示される操作−アクション変換テーブル３２１を用いた場合における通信端末３０ａ，３０ｂ間で行われるつながり感通信について説明する。
【０１２２】
図１５は、通信端末３０ａ，３０ｂ間で行われるつながり感通信の通信シーケンスを示す図である。なお、ここでは、顔検出部１８及び顔認識部１９を備え、記憶部１６において画像内で顔のパーツ（目、鼻、口など）の位置を認識でき、タップした位置によって、受信側でウィンクしたり、微笑んだり、投げキッスしたりするアクションを実行する。
【０１２３】
また、図１２の場合と同様に、夫ヒロミ、妻ウサギの所持するそれぞれの通信端末３０ａ，３０ｂは、充電器にセットされた状態で、かつ待ち受け状態で待っているものとし、夫ヒロミの通信端末３０ａは、妻ウサギの写真を待ち受け画面に表示し、妻ウサギの通信端末３０ｂは、娘モモの写真を待ち受け画面に表示しているものとして説明する。
【０１２４】
夫ヒロミは、妻ウサギの写真を待ち受け画面に表示している状態で、通信端末３０ａのタッチパネル（入力部３１）を一度だけタップする（Ｓ３１）。通信端末３０ａのパケット生成部３２は、通信端末３０ｂでのアクション及びタップされた位置を記述したリクエストパケットを生成して、通信端末３０ｂに送信する（Ｓ３２）。なお、妻ウサギの写真をタップしたので、リクエストパケットの宛先は、自動的に通信端末３０ｂのメールアドレスとなる。
【０１２５】
通信端末３０ｂのパケット解析部２１は、着信部１１を介してリクエストパケットを受信すると、このパケットに格納された発信人、アクション、タッチ位置をアクション実行部２２に出力する。これを受け取ったアクション実行部２２は、パケットの発信者夫ヒロミと関連付けられたフォルダ内の写真を１枚選出し、その写真を表示部１４に待ち受け画面として表示し、その画面にタッチ位置を中心としたアクションである波紋のような映像を重ねる（Ｓ３３）。
【０１２６】
波紋のアクションの表示に気づいた妻ウサギが同様に夫ヒロミの写真が表示された画面の左目をタップすると（Ｓ３７）、通信端末３０ｂのパケット生成部３２は、通信端末３０ａでのアクション及びタップされた位置、つまり左目のウィンクというアクションを記述したリクエストパケットを生成して、通信端末３０ａに送信する（Ｓ３５）。なお、夫ヒロミの写真をタップしたので、リクエストパケットの宛先は、自動的に通信端末３０ａのメールアドレスとなる。
【０１２７】
通信端末３０ａのアクション実行部２２は、リクエストパケットを受信すると、このパケットに記述されたアクション妻ウサギのフォルダから取り出した写真の左目をウィンクさせるアクションを実行する（Ｓ３９）。なお、波紋のアクションやウィンクのアクションが終了したら、元の待ち受け画面に戻る。
【０１２８】
以上のようなステップＳ３１〜Ｓ３３，Ｓ３７，Ｓ３８によって、夫ヒロミ、妻ウサギの両者は、言葉を交わしたり（通話）、文章を交換したり（ｅ−ｍａｉｌ）することなく、お互いに「相手のことを大変気に掛けているんだよ」というような”簡単な”想いを交換することができる。そういった想いは、通信パスをわざわざ確立した上で交換するものでも（つまり、わざわざメールアドレスをわざわざ入力した上で）、文章を書いて交換するものでもなく、スキンシップに似た感覚で交換できるべきものであり、本発明によるコミュニケーションは、そういった想いの交換を可能とするものである。
【０１２９】
（実施の形態４）
次いで、本発明の実施の形態４に係る通信システムに用いられる通信端末４０ａ，４０ｂについて説明する。
【０１３０】
図１６は、本発明の実施の形態４に係る通信システムに用いられる通信端末４０ａ，４０ｂの機能構成を示す図である。なお、通信端末４０ａ，４０ｂの構成が同じであるので、通信端末４０ａをその代表として説明する。また、通信端末１０ａ，２０ａ，通信端末３０ａ，３０ｂと対応する構成部分に同じ番号を付し、その説明を省略する。
【０１３１】
通信端末４０ａは、通信端末３０ａ，３０ｂと同様、タッチパネルをタッチする等の簡単な操作で、言葉にする前の言葉にならない”想い”を伝え合い、コミュニケーションの円滑化を図るためのものであって、着信部１１、表示部１４、アドレス帳１５及び記憶部１６、パケット解析部２１、アクション実行部２２、入力部３１、パケット生成部３２及びパケット送信部３３の他、さらに撮影部４１等を備える。なお、ここでは、図示されていないが、図６に示される顔検出部１８及び顔認識部１９を備える構成であってもよい。
【０１３２】
撮影部４１は、上述のカメラ部ex２０３等により構成され、パケット解析部２１からの撮影命令に基づいて撮影を行い、撮影した画像データをパケット生成部３２に出力する。
【０１３３】
なお、パケット生成部３２が保持する操作−アクション変換テーブル３２１においては、図１７に示されるように、入力側の操作がカメラアイコンをクリックするものであれば、出力側で撮影するアクションを行うア旨がさらに規定されている。
【０１３４】
したがって、パケット生成部３２は、カメラアイコンがクリックされた場合、待ち受け画面に表示されている画像が格納されているフォルダに対応するメールアドレス宛てにアクション撮影を記述したアクションバケットを生成する。
【０１３５】
次いで、図１７に示される操作−アクション変換テーブル３２１を用いた場合における通信端末４０ａ，４０ｂ間で行われるつながり感通信について説明する。
【０１３６】
図１８は、通信端末４０ａ，４０ｂ間で行われるつながり感通信の通信シーケンスを示す図である。なおここでは、夫ヒロミは通信端末４０ａの表示部１４に妻ウサギの写真を表示して、妻ウサギは通信端末４０ｂに夫ヒロミの写真を表示しているものとして説明する。これによって、双方向に通信することが可能となる。また、画面右隅にはカメラアイコンが表示されている。
【０１３７】
妻ウサギの顔をちょっと見たくなった夫ヒロミが画面上のカメラアイコンをクリックすると（Ｓ５１）、通信端末４０ａのパケット生成部３２は、撮影命令を含むリクエストパケットを生成し、パケット送信部３３はリクエストパケットを妻ウサギの通信端末４０ａに送信する（Ｓ５２）。
【０１３８】
リクエストパケットを受信した通信端末４０ｂのパケット解析部２１は、パケットを解析し撮影部４１に撮影命令を出力する。撮影命令を受けた撮影部４１は、被写体妻ウサギの横顔を撮影して（Ｓ５３）、パケット生成部３２は夫ヒロミの通信端末４０ａ宛てに撮影した写真を添付したリクエストを生成し、パケット送信部３３はそのリクエストパケットを送信する（Ｓ５４）。
【０１３９】
リクエストパケットを受信した通信端末４０ａのパケット解析部２１は、パケットの内容を解析し、アクション実行部２２は添付されたＤＳＰを表示部１４に表示させる（Ｓ５５）。
【０１４０】
以上のステップＳ５１〜Ｓ５５によって、夫ヒロミは、妻ウサギの仕事を邪魔することなく妻ウサギの横顔を見ることができる。
【０１４１】
したがって、夫ヒロミ、妻ウサギの両者は、言葉を交わしたり（通話）、文章を交換したり（ｅ−ｍａｉｌ）することなく、お互いに「相手のことを大変気に掛けているんだよ」というような”簡単な”想いを交換することができる。そういった想いは、通信パスをわざわざ確立した上で交換するものでも（つまり、わざわざメールアドレスをわざわざ入力した上で）、文章を書いて交換するものでもなく、スキンシップに似た感覚で交換できるべきものであり、本発明によるコミュニケーションは、そういった想いの交換を可能とするものである。
【０１４２】
なお、上述したつながり通信においてはアクションパケットの宛先をメールアドレスとして説明したが、宛先を電話番号としてもよい。
【０１４３】
また、通信端末を携帯電話機に適用した場合について説明したが、携帯情報端末（ＰＤＡ）等の他の通信端末に適用することができ、そのつながり通信においてはアクションパケットの宛先をその通信端末に割り当てられた固有のＩＤ等のアドレスとすることができる。
【０１４４】
また、上記第１目的を達成するために、本発明に係る通信端末においては、伝送路を介して相手端末と通信する通信端末であって、複数の発信者それぞれに対応付けられた複数の情報記憶領域であるフォルダを有するフォルダ手段と、付属情報であるファイルが添付された電子メールを受信するメール受信手段と、受信された電子メールの発信者を特定するメール発信者特定手段と、特定された発信者に対応する前記フォルダに前記ファイルを格納する格納手段とを備えることを特徴とすることができる。
【０１４５】
これにより、受信した電子メールに添付されたファイルを特定された発信者に対応するフォルダにいちいち格納する手間を省くことができる。したがって、伝送路を介して相手端末から着信があった場合に、発信者に対応するフォルダからファイルを容易に読み出すことが可能となる。
【０１４６】
また、本発明に係る通信端末においては、前記通信端末はさらに、着信を検出する着信検出手段と、検出された着信の発信者を特定する発呼者特定手段と、特定された発信者に対応する前記フォルダに格納されたファイルを読み出し、画面に表示する表示手段とを備えることを特徴とすることができる。
【０１４７】
これにより画面に表示されたファイルから発信者が誰であるかを知ることが可能となる。
【０１４８】
また、本発明に係る通信端末においては、前記ファイルには、画像を示す画像ファイルが含まれ、前記表示手段は、前記フォルダから複数の画像ファイルを読み出し、読み出した複数の画像ファイルからなる映像を表示することを特徴とすることもできる。
【０１４９】
これにより画面に表示された画像ファイルから発信者が誰であるかを容易に知ることが可能となる。
【０１５０】
また、本発明に係る通信端末においては、前記フォルダには、当該フォルダに対応する発信者が写った写真を示す写真ファイルが含まれ、前記表示手段は、前記フォルダから前記写真ファイルを読み出し、読み出した写真ファイルを表示することを特徴とすることもできる。
【０１５１】
これにより画面に表示された発信者が写った写真を示す写真ファイルから発信者が誰であるかを容易かつ確実に知ることができる。
【産業上の利用可能性】
【０１５２】
本発明に係る通信端末は、音楽や画像などのファイルと発信者とを簡単かつ容易に対応付けることができ、また、相手端末との通信の確立が容易で、ふとした時に生じる相手への想いを積極的に伝えることができる効果を有し、携帯電話機や、携帯情報端末、通信機能を有するパーソナルコンピュータなどに適用できる。
【図面の簡単な説明】
【０１５３】
【図１】本発明の実施の形態１に係る通信システム１の全体構成を示す図である。
【図２】図１に示される通信端末の機能構成を示すブロック図である。
【図３】図２に示されるアドレス帳１５の構成例を示す図である。
【図４】ＤＳＰの添付されたｅ−ｍａｉｌを受信した場合に行われるＤＳＰ格納処理を示すフローチャートである。
【図５】ｅ−ｍａｉｌを受信した場合に行われる着信処理を示すフローチャートである。
【図６】他の通信端末２０ａ，２０ｂの機能構成を示すブロック図である。
【図７】オブジェクト情報の構成例を示す図である。
【図８】本発明の実施の形態３に係る通信システム２の全体構成を示す図である。
【図９】図８に示される通信端末３０ａ，３０ｂの機能構成を示すブロック図である。
【図１０】操作−アクション変換テーブルの他の構成例を示す図である。
【図１１】通信端末３０ａ，３０ｂ間で行われるつながり感通信を実現するためのアクションパケット通信処理を示すフローチャートである。
【図１２】通信端末３０ａ，３０ｂ間で行われるつながり感通信の通信シーケンスを示す図である。
【図１３】通信端末３０ａにおいて３度タップされ、通信端末３０ｂにおいて一度タップされた場合において、通信端末３０ａ，３０ｂ間で行われるつながり感通信の通信シーケンスを示す図である。
【図１４】操作−アクション変換テーブルのさらに他の構成例を示す図である。
【図１５】通信端末３０ａ，３０ｂ間で行われるつながり感通信の通信シーケンスを示す図である。
【図１６】本発明の実施の形態４に係る通信システムに用いられる通信端末４０ａ，４０ｂの機能構成を示す図である。
【図１７】操作−アクション変換テーブルのさらに他の構成例を示す図である。
【図１８】通信端末４０ａ，４０ｂ間で行われるつながり感通信の通信シーケンスを示す図である。
【符号の説明】
【０１５４】
１，２          通信システム
１０ａ，１０ｂ，
２０ａ，２０ｂ，
３０ａ，３０ｂ，
４０ａ，４０ｂ    通信端末
１１              着信部
１２              アプリケーション起動部
１３              ショートフィルム生成・再生部
１４              表示部
１５              アドレス帳
１６              記憶部
１７              画像取得部
１８              顔検出部
１９              顔認識部
２１              パケット解析部
２２              アクション実行部
３１              入力部
３２              パケット生成部
３３              パケット送信部
４１              撮影部
９０              ネットワーク
１９１            オブジェクト情報
３２１            操作−アクション変換テーブル
【手続補正３】
【補正対象書類名】図面
【補正対象項目名】全図
【補正方法】変更
【補正の内容】
【図１】
2005081507.tif 000020
【図２】
2005081507.tif 000021
【図３】
2005081507.tif 000022
【図４】
2005081507.tif 000023
【図５】
2005081507.tif 000024
【図６】
2005081507.tif 000025
【図７】
2005081507.tif 000026
【図８】
2005081507.tif 000027
【図９】
2005081507.tif 000028
【図１０】
2005081507.tif 000029
【図１１】
2005081507.tif 000030
【図１２】
2005081507.tif 000031
【図１３】
2005081507.tif 000032
【図１４】
2005081507.tif 000033
【図１５】
2005081507.tif 000034
【図１６】
2005081507.tif 000035
【図１７】
2005081507.tif 000036
【図１８】
2005081507.tif 000037
【国際調査報告】
2005081507.tif 000038
2005081507.tif 000039
2005081507.tif 000040
2005081507.tif 000041